(57)【特許請求の範囲】
【請求項１】
無線通信方法において、
第１の通信ノードによって、サウンディング参照信号の帯域幅を指示する第１のパラメータと、前記サウンディング参照信号の帯域幅構成インデクスを指示する第２のパラメータと、第２の周波数領域開始位置に対する前記サウンディング参照信号の第１の周波数領域開始位置のオフセットの単位の数とを決定することを含み、
前記第１の周波数領域開始位置は、
【数１】
0006971334.tif 000062
に基づいて決定され、ただしΔＰＲＢｏｆｆｓｅｔはＮＲＢｓｃの単位におけるオフセットの単位の数であり、ＮＲＢｓｃは物理リソースブロックにおけるサブキャリアの数であり、ｋ（ｐ）ＴＣは前記第２の周波数領域開始位置であり、
前記サウンディング参照信号の送信帯域幅集合は、前記サウンディング参照信号の帯域幅構成インデクスを指示する前記第２パラメータに従って決定され、
前記送信帯域幅集合は、
１１２，５６，２８，４；
１２０，６０，２０，４；
１２８，６４，３２，４；
１３６，６８，４，４；
１４４，７２，３６，４；
１４４，４８，１６，４；
１６０，８０，４０，４；
１６０，８０，２０，４；
１６８，８４，２８，４；
１７６，８８，４４，４；
１９２，９６，４８，４；
２０８，１０４，５２，４；
２１６，１０８，３６，４；
２４０，１２０，６０，４；
２４０，８０，２０，４；
２５６，１２８，６４，４；または
２７２，１３６，６８，４；
を含み、
前記方法は、第２の通信ノードにシグナリングメッセージを送信することを含み、
前記シグナリングメッセージは、前記第１のパラメータ、前記第２のパラメータおよび前記オフセットの単位の数を含む、
方法。
【請求項２】
請求項１に記載の方法において、前記サウンディング参照信号の前記帯域幅構成インデクスを指示する前記第２のパラメータは、０から６３の範囲内の整数である、方法。
【請求項３】
請求項１に記載の方法において、
前記第２の通信ノードのために複数のリソースを構成することを含み、
前記シグナリングメッセージは、前記第２のノードが前記複数のリソースを用いてアンテナを切り替えることができるようにする第３のパラメータを含む、方法。
【請求項４】
無線通信方法において、
第２の通信ノードによって、第１の通信ノードが送信したシグナリングメッセージを受信することを含み、
前記シグナリングメッセージは、サウンディング参照信号の帯域幅を指示する第１のパラメータと、前記サウンディング参照信号の帯域幅構成インデクスを指示する第２のパラメータと、第２の周波数領域開始位置に対する前記サウンディング参照信号の第１の周波数領域開始位置のオフセットの単位の数とを含み、
前記第１の周波数領域開始位置は、
【数２】
0006971334.tif 000063
に基づいて決定され、ただしΔＰＲＢｏｆｆｓｅｔはＮＲＢｓｃの単位におけるオフセットの単位の数であり、ＮＲＢｓｃは物理リソースブロックにおけるサブキャリアの数であり、ｋ（ｐ）ＴＣは前記第２の周波数領域開始位置であり、
前記サウンディング参照信号の送信帯域幅集合は、前記サウンディング参照信号の帯域幅構成インデクスを指示する前記第２パラメータに従って決定され、
前記送信帯域幅集合は、
１１２，５６，２８，４；
１２０，６０，２０，４；
１２８，６４，３２，４；
１３６，６８，４，４；
１４４，７２，３６，４；
１４４，４８，１６，４；
１６０，８０，４０，４；
１６０，８０，２０，４；
１６８，８４，２８，４；
１７６，８８，４４，４；
１９２，９６，４８，４；
２０８，１０４，５２，４；
２１６，１０８，３６，４；
２４０，１２０，６０，４；
２４０，８０，２０，４；
２５６，１２８，６４，４；または
２７２，１３６，６８，４；
を含み、
前記方法は、
前記第２の通信ノードによって、前記シグナリングメッセージに含まれる前記第１のパラメータ、前記第２のパラメータおよび前記オフセットの単位の数に基づいてリソースを決定することと、
前記第２の通信ノードによって、前記リソースを用いて前記サウンディング参照信号を送信することと、
を含む、方法。
【請求項５】
請求項４に記載の方法において、前記サウンディング参照信号の前記帯域幅構成インデクスを指示する前記第２のパラメータは、０から６３の範囲内の整数である、方法。
【請求項６】
請求項４に記載の方法において、前記第１の通信ノードによって構成された複数のリソースを用いて、前記第２の通信ノードによってアンテナを切り替えることを含む、方法。
【請求項７】
無線通信デバイスにおいて、
プロセッサと、
プロセッサ実行可能コードを含むメモリと、
を備え、
前記プロセッサ実行可能コードは、前記プロセッサによって実行されると、前記プロセッサを、
サウンディング参照信号の帯域幅を指示する第１のパラメータと、前記サウンディング参照信号の帯域幅構成インデクスを指示する第２のパラメータと、第２の周波数領域開始位置に対する前記サウンディング参照信号の第１の周波数領域開始位置のオフセットの単位の数とを決定することであって、
前記第１の周波数領域開始位置は、
【数３】
0006971334.tif 000064
に基づいて決定され、ただしΔＰＲＢｏｆｆｓｅｔはＮＲＢｓｃの単位におけるオフセットの単位の数であり、ＮＲＢｓｃは物理リソースブロックにおけるサブキャリアの数であり、ｋ（ｐ）ＴＣは前記第２の周波数領域開始位置であり
前記サウンディング参照信号の送信帯域幅集合は、前記サウンディング参照信号の帯域幅構成インデクスを指示する前記第２パラメータに従って決定され、
前記送信帯域幅集合は、
１１２，５６，２８，４；
１２０，６０，２０，４；
１２８，６４，３２，４；
１３６，６８，４，４；
１４４，７２，３６，４；
１４４，４８，１６，４；
１６０，８０，４０，４；
１６０，８０，２０，４；
１６８，８４，２８，４；
１７６，８８，４４，４；
１９２，９６，４８，４；
２０８，１０４，５２，４；
２１６，１０８，３６，４；
２４０，１２０，６０，４；
２４０，８０，２０，４；
２５６，１２８，６４，４；または
２７２，１３６，６８，４；
を含む、
決定することと、
第２の通信ノードにシグナリングメッセージを送信することであって、前記シグナリングメッセージは、前記第１のパラメータ、前記第２のパラメータおよび前記オフセットの単位の数を含む、シグナリングメッセージを送信することと、
を実行するよう構成する、無線通信デバイス。
【請求項８】
無線通信デバイスにおいて、
プロセッサと、
プロセッサ実行可能コードを含むメモリと、
を備え、
前記プロセッサ実行可能コードは、前記プロセッサによって実行されると、前記プロセッサを、
第１の通信ノードによって送信されたシグナリングメッセージを受信することであって、
前記シグナリングメッセージは、サウンディング参照信号の帯域幅を指示する第１のパラメータと、前記サウンディング参照信号の帯域幅構成インデクスを指示する第２のパラメータと、第２の周波数領域開始位置に対する前記サウンディング参照信号の第１の周波数領域開始位置のオフセットの単位の数とを含み、
前記第１の周波数領域開始位置は、
【数４】
0006971334.tif 000065
に基づいて決定され、ただしΔＰＲＢｏｆｆｓｅｔはＮＲＢｓｃの単位におけるオフセットの単位の数であり、ＮＲＢｓｃは物理リソースブロックにおけるサブキャリアの数であり、ｋ（ｐ）ＴＣは前記第２の周波数領域開始位置である、
シグナリングメッセージを受信することと、
前記サウンディング参照信号の送信帯域幅集合を、前記サウンディング参照信号の帯域幅構成インデクスを指示する前記第２パラメータに従って決定することであって、
前記送信帯域幅集合は、
１１２，５６，２８，４；
１２０，６０，２０，４；
１２８，６４，３２，４；
１３６，６８，４，４；
１４４，７２，３６，４；
１４４，４８，１６，４；
１６０，８０，４０，４；
１６０，８０，２０，４；
１６８，８４，２８，４；
１７６，８８，４４，４；
１９２，９６，４８，４；
２０８，１０４，５２，４；
２１６，１０８，３６，４；
２４０，１２０，６０，４；
２４０，８０，２０，４；
２５６，１２８，６４，４；または
２７２，１３６，６８，４；
を含む、送信帯域幅集合を決定することと、
前記シグナリングメッセージに含まれる前記第１のパラメータ、前記第２のパラメータおよび前記オフセットの単位の数に基づいてリソースを決定することと、
前記リソースを用いて前記サウンディング参照信号を送信することと、
を実行するよう構成する、無線通信デバイス。
【請求項９】
請求項７または８に記載のデバイスにおいて、前記サウンディング参照信号の前記帯域幅構成インデクスを指示する前記第２のパラメータは、０から６３の範囲内の整数である、デバイス。
【請求項１０】
請求項７に記載のデバイスにおいて、
前記プロセッサ実行可能コードは、前記プロセッサによって実行されると、前記プロセッサを、前記第２の通信ノードのために複数のリソースを構成するよう構成し、
前記シグナリングメッセージは、前記第２の通信ノードが前記複数のリソースを用いてアンテナを切り替えることができるようにする第３のパラメータを含む、デバイス。
【請求項１１】
請求項１〜６のいずれか一項に記載の方法を実行するために構成されたコンピュータ可読命令を記憶する、コンピュータ可読記憶媒体。
【発明の詳細な説明】
【技術分野】
【０００１】
本開示は、以下に限定されるものではないが、通信分野に関する。
【０００２】
［関連出願への相互参照］
本出願は、２０１７年９月３０日に出願された中国特許出願第２０１７１０９３９８３５．７号の優先権を主張し、その開示の全体は、参照により本明細書に援用される。
【背景技術】
【０００３】
ロングタームエボリューション（Long Term Evolution：略称ＬＴＥ）において、物理ダウンリンク制御チャネル（physical downlink control channel：略称ＰＤＣＣＨ）は、アップリンクとダウンリンクのスケジューリング情報とアップリンク電力制御情報を搬送するために使用されている。ダウンリンク制御情報（downlink control information：略称ＤＣＩ）フォーマットは、ＤＣＩフォーマット０、１、１Ａ、１Ｂ、１Ｃ、１Ｄ、２、２Ａ、３、３Ａ等を含む。進化型ＬＴＥ−Ａリリース１２（evolved LTE-A Release 12）には、様々な異なるアプリケーション及び伝送モードをサポートするために、後続するＤＣＩフォーマット２Ｂ、２Ｃ、及び２Ｄが追加されている。基地局（e-Node-B、略称ｅＮＢ）は、ダウンリンク制御情報を介してユーザ機器（user equipment：略称ＵＥ）を構成してもよく、これに代えて、ＵＥは、上位層によって構成してもよく、これは、上位層シグナリングによって構成されるとも表現される。
【０００４】
サウンディング参照信号（sounding reference signal：略称ＳＲＳ）は、ＵＥとｅＮＢとの間で無線チャネル状態情報（channel state information：略称ＣＳＩ）を測定するために用いられる信号である。ＬＴＥシステムでは、ＵＥは、ｅＮＢが指示するパラメータ、例えば、周波数帯域、周波数領域位置、シーケンス巡回シフト、周期、サブフレームオフセット等のパラメータに基づいて、送信サブフレームの最後のデータシンボル上でアップリンクＳＲＳを周期的に送信する。ｅＮＢは、受信したＳＲＳに基づいて、ＵＥのアップリンクＣＳＩを決定し、取得したＣＳＩに基づいて、周波数領域選択スケジューリング、閉ループ電力制御等の動作を行う。
【０００５】
ＬＴＥ−Ａリリース１０（LTE-A Release 10）の研究では、アップリンク通信において、事前符号化されていないＳＲＳ、すなわち、アンテナ固有のＳＲＳを使用し、一方、物理的なアップリンク共有チャネル（physical uplink shared channel：略称ＰＵＳＣＨ）では、復調のために使用される復調参照信号（demodulation reference signal：略称ＤＭＲＳ）を事前符号化することが提案されている。ｅＮＢは、事前符号化されていないＳＲＳを受信することによって元のアップリンクＣＳＩを推定できるが、事前符号化されたＤＭＲＳを介して元のアップリンクＣＳＩを推定することはできない。このとき、ＵＥが複数のアンテナを用いて事前符合化されていないＳＲＳを送信すると、各ＵＥが必要とするＳＲＳリソースが増加するため、システム内で同時に再利用できるＵＥが減少する。ＵＥは、２個のトリガ方式、すなわち、上位層シグナリング（トリガタイプ０とも呼ばれる。）又はダウンリンク制御情報（トリガタイプ１とも呼ばれる。）を介してＳＲＳを送信できる。周期的ＳＲＳは、上位層シグナリングに基づいてトリガされ、非周期的ＳＲＳは、ダウンリンク制御情報に基づいてトリガされる。ＬＴＥ−Ａリリース１０では、ＳＲＳの非周期的送信の方式が追加され、これにより、ＳＲＳリソースの利用率がある程度向上し、リソーススケジューリングの柔軟性が向上している。
【０００６】
通信技術の発展に伴い、データサービスに対する需要が高まっており、利用可能な低周波キャリアが不足している。従って、十分に活用されていない高周波（３０ＧＨｚ〜３００ＧＨｚ）キャリア通信は、将来的に高速データ通信を達成するための重要な通信方式となっている。高周波キャリア通信は、利用可能な帯域幅が広く、効率的な高速データ通信を提供できる。しかしながら、高周波キャリア通信に対する大きな技術的課題は、高周波信号が低周波信号と比較して、空間で著しく減衰することである。このため、屋外通信に高周波信号を使用すると、空間的な減衰損失を生じるが、高周波信号の波長が短いほど、通常、より多くのアンテナを使用できる。したがって、通信は、ビームに基づき、空間的な減衰損失を補償するように実施されている。
【０００７】
しかしながら、アンテナの数が増加すると、各アンテナがそれぞれ一組の無線周波数リンクを必要とするため、デジタルビームフォーミングは、コストが高くなり、電力の損失も大きくなる。したがって、現在の研究は、ハイブリッドビーム成形、すなわち、無線周波数ビームとデジタルビームとよって形成される最終ビームを対象とする傾向がある。
【０００８】
新しい無線アクセス技術（new radio access technology：略称ＮＲ）の研究では、高周波通信システムにおいて、高周波通信の空間的な減衰を補償するために、ダウンリンク送信ビームを形成する多数のアンテナでｅＮＢを構成し、アップリンク送信ビームを形成する多数のアンテナでＵＥを構成している。このとき、ＳＲＳもビームの形式で送信される。新しい無線アクセス技術の将来の研究では、ｅＮＢは、各ユーザに対して異なる帯域幅部分（bandwidth part：略称ＢＷＰ）を構成し、ユーザのＢＷＰにより占有される帯域幅は、ＬＴＥ又はＬＴＥ−Ａシステムの２０ＭＨｚ帯域幅よりも大きい。現在のＳＲＳ帯域幅構成は、最大でも２０ＭＨｚしかサポートしておらず、ＮＲの設計要件を満たすことはできない。更に、ＳＲＳの周波数領域開始位置をどのように決定するか、及びＳＲＳのアンテナスイッチングをどのように達成するかもＮＲのＳＲＳ設計において解決すべき課題である。
【０００９】
［サマリー］
以下は、本明細書に詳細に説明する主題の要約である。本要約は、特許請求の範囲を限定することを意図するものではない。
【００１０】
本願の実施形態は、ＮＲシステムにおける参照信号の伝送構成を実現するための情報伝送方法及び装置を提供する。
【００１１】
第１の態様において、本出願の実施形態が提供する情報伝送方法は、
第１の通信ノードによって、第２の通信ノードが参照信号を送信するためのリソース又はパラメータを決定することと、
シグナリングを介して、第２の通信ノードにリソース又はパラメータを指示することとを含む。
【００１２】
第２の態様において、本出願の実施形態が提供する情報伝送方法は、
第２の通信ノードによって、第１の通信ノードが送信したシグナリングを受信することと、
シグナリングに基づいて、又はシグナリングと、第１の通信ノード及び第２の通信ノードによって事前に定義されている規則とに基づいて、参照信号を送信するためのリソース又はパラメータを決定することと、
リソース又はパラメータを使用して参照信号を送信することとを含む。
【００１３】
第３の態様において、本出願の実施形態が提供する情報伝送方法は、
第１の通信ノードによって、参照信号リソースの第１レベルパラメータ及び第２レベルパラメータを決定することであって、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含むことと、
第１の通信ノードによって、第１レベルパラメータ及び第２レベルパラメータに基づいて、参照信号を受信することとを含む。
【００１４】
第４の態様において、本出願の実施形態が提供する情報伝送方法は、
第２の通信ノードによって、参照信号リソースの第１レベルパラメータ及び第２レベルパラメータを決定することであって、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含むことと、
第２の通信ノードによって、第１レベルパラメータ及び第２レベルパラメータに基づいて、参照信号を送信することとを含む。
【００１５】
第５の態様において、本出願の実施形態が提供する情報伝送装置は、第１の通信ノードに適用される情報伝送装置であって、
第２の通信ノードが参照信号を送信するためのリソース又はパラメータを決定するように構成された第１の処理モジュールと、
シグナリングを介して、第２の通信ノードにリソース又はパラメータを指示するように構成された第１の送信モジュールとを備える。
【００１６】
第６の態様において、本出願の実施形態が提供する情報伝送装置は、第２の通信ノードに適用される情報伝送装置であって、
第１の通信ノードによって送信されたシグナリングを受信するように構成された第１の受信モジュールと、
第２の処理モジュールであって、シグナリングに基づいて、又はシグナリングと、第１の通信ノード及び第２の処理モジュールによって事前に定義されている規則とに基づいて、参照信号を送信するためのリソース又はパラメータを決定するように構成された第２の処理モジュールと、
リソース又はパラメータを使用して参照信号を送信するように構成された第２の送信モジュールとを備える。
【００１７】
第７の態様において、本出願の実施形態が提供する情報伝送装置は、第１の通信ノードに適用される情報伝送装置であって、
参照信号リソースの第１レベルパラメータ及び第２レベルパラメータを決定するように構成された第３の処理モジュールであって、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含む第３の処理モジュールと、
第１レベルパラメータ及び第２レベルパラメータに基づいて、参照信号を受信するように構成された第２の受信モジュールとを備える。
【００１８】
第８の態様において、本出願の実施形態が提供する情報伝送装置は、第２の通信ノードに適用される情報伝送装置であって、
参照信号リソースの第１レベルパラメータ及び第２レベルパラメータを決定するように構成された第４の処理モジュールであって、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含む第４の処理モジュールと、
第１レベルパラメータ及び第２レベルパラメータに基づいて参照信号を送信するように構成された第３の送信モジュールとを備える。
【００１９】
第９の態様において、本出願の実施形態が提供する通信ノードは、第１のメモリ及び第１のプロセッサを備え、第１のメモリは、第１のプロセッサによって実行されると第１の態様に記載の情報伝送方法のステップを実現する情報伝送プログラムを格納するように構成される。
【００２０】
第１０の態様において、本出願の実施形態が提供する通信ノードは、第２のメモリ及び第２のプロセッサを備え、第２のメモリは、第２のプロセッサによって実行されると第２の態様に記載の情報伝送方法のステップを実現する情報伝送プログラムを格納するように構成される。
【００２１】
第１１の態様において、本出願の実施形態が提供する通信ノードは、第３のメモリ及び第３のプロセッサを備え、第３のメモリは、第３のプロセッサによって実行されると第３の態様に記載の情報伝送方法のステップを実現する情報伝送プログラムを格納するように構成される。
【００２２】
第１２の態様において、本出願の実施形態が提供する通信ノードは、第４のメモリ及び第４のプロセッサを備え、第４のメモリは、第４のプロセッサによって実行されると第４の態様に記載の情報伝送方法のステップを実現する情報伝送プログラムを格納するように構成される。
【００２３】
更に、本出願の実施形態は、プロセッサによって実行されると、第１の態様から第４の態様のいずれかに記載の情報伝送方法のステップを実現する情報伝送プログラムを格納するように構成されたコンピュータ可読媒体を提供する。
【００２４】
本出願の実施形態では、第１の通信ノードは、第２の通信ノードが参照信号を送信するためのリソース又はパラメータを決定し、シグナリングを介してそのリソース又はパラメータを第２の通信ノードに指示する。第２の通信ノードは、第１の通信ノードによって送信されたシグナリングを受信し、シグナリングに基づいて、又はシグナリングと、第１の通信ノード及び第２の通信ノードによって事前に定義されている規則とに基づいて、参照信号を送信するためのリソース又はパラメータを決定する。このようにして、ＮＲシステムにおける参照信号送信のための設計要件が達成される。
【００２５】
本出願の実施形態では、第１の通信ノードは、参照信号リソースの、２つのレベルのパラメータに基づいて参照信号を受信し、第２の通信ノードは、参照信号リソースの、２つのレベルのパラメータに基づいて参照信号を送信する。２つのレベルのパラメータの構成により、ＮＲシステムにおける参照信号のアンテナスイッチングと周波数ホッピング制御が実現される。
【００２６】
他の態様は、図面及び詳細な説明から理解される。
【図面の簡単な説明】
【００２７】
【図１】本出願の一実施形態に基づく情報伝送方法のフローチャートである。
【図２】本出願の一実施形態に基づく他の情報伝送方法のフローチャートである。
【図３】本出願の一実施形態に基づく他の情報伝送方法のフローチャートである。
【図４】本出願の一実施形態に基づく他の情報伝送方法のフローチャートである。
【図５】本出願の一実施形態に基づく、参照信号に対応するマルチレベル帯域幅構造の概略図１である。
【図６】本出願の一実施形態に基づく、参照信号に対応するマルチレベル帯域幅構造の概略図２である。
【図７ａ】異なる時間領域シンボル上のＰＵＣＣＨの周波数領域占有率を示す概略図である。
【図７ｂ】異なる時間領域シンボル上のＰＵＣＣＨの周波数領域占有率を示す概略図である。
【図７ｃ】異なる時間領域シンボル上のＰＵＣＣＨの周波数領域占有率を示す概略図である。
【図７ｄ】異なる時間領域シンボル上のＰＵＣＣＨの周波数領域占有率を示す概略図である。
【図７ｅ】異なる時間領域シンボル上のＰＵＣＣＨの周波数領域占有率を示す概略図である。
【図７ｆ】異なる時間領域シンボル上のＰＵＣＣＨの周波数領域占有率を示す概略図である。
【図８ａ】本出願の例７の概略図である。
【図８ｂ】本出願の例７の概略図である。
【図８ｃ】本出願の例７の概略図である。
【図８ｄ】本出願の例７の概略図である。
【図８ｅ】本出願の例７の概略図である。
【図８ｆ】本出願の例７の概略図である。
【図８ｇ】本出願の例７の概略図である。
【図８ｈ】本出願の例７の概略図である。
【図８ｉ】本出願の例７の概略図である。
【図８ｊ】本出願の例７の概略図である。
【図９】本出願の一実施形態に基づく情報伝送装置の概略図である。
【図１０】本出願の一実施形態に基づく他の情報伝送装置の概略図である。
【図１１】本出願の一実施形態に基づく他の情報伝送装置の概略図である。
【図１２】本出願の一実施形態に基づく他の情報伝送装置の概略図である。
【図１３】本出願の一実施形態に基づく通信ノードの概略図である。
【図１４】本出願の一実施形態に基づく他の通信ノードの概略図である。
【発明を実施するための形態】
【００２８】
本出願の実施形態を図面と共に詳細に説明するが、以下に説明する実施形態は、本出願を例示的に説明することを意図しており、本出願を限定するものではない。
【００２９】
フローチャートに例示されるステップは、コンピュータシステムにおいて、一組のコンピュータ実行可能命令によって実行してもよい。フローチャートでは、論理的な実行順序を示しているが、図示又は説明するステップは、場合によって、図示又は本明細書で説明するものとは異なる順序で実行してもよい。
【００３０】
図１は、本出願の一実施形態に基づく情報伝送方法のフローチャートである。図１に示すように、本実施形態における情報伝送方法は、以下のステップを含むことができる。
【００３１】
Ｓ１０１において、第１の通信ノードは、第２の通信ノードが参照信号を送信するためのリソース又はパラメータを決定する。
【００３２】
Ｓ１０２では、シグナリングを介して、リソース又はパラメータが第２通信ノードに指示される。
【００３３】
本実施形態では、第１の通信ノードとは、第２の通信ノードの送信モードを決定し、第２の通信ノードにシグナリング指示を行うよう構成されたノードを指し、第２の通信ノードとは、シグナリングを受信するよう構成されたノードを指す。ある実施モードでは、第１の通信ノードは、マクロセルの基地局、スモールセルの基地局又は送信ノード、高周波通信システムの送信ノード、「モノのインターネット」システムの送信ノード等のノードであってもよく、第２の通信ノードは、ＵＥ、携帯電話、携帯デバイス、自動車等の通信システムのノードであってもよい。他の実施モードでは、マクロセルの基地局、スモールセルの基地局又は送信ノード、高周波通信システムの送信ノード、「モノのインターネット」システムの送信ノード等が第２の通信ノードとして機能し、ＵＥが第１の通信ノードとして機能してもよい。
【００３４】
本実施形態では、シグナリングは、無線リソース制御（radio resource control：ＲＲＣ）シグナリング、メディアアクセス制御制御要素（media access control control element：ＭＡＣ  ＣＥ）シグナリング、物理ダウンリンク制御シグナリング、又は物理層動的制御シグナリングの少なくとも１つを含むことができる。
【００３５】
本実施形態では、参照信号は、ＳＲＳ、アップリンク復調参照信号、ダウンリンク復調参照信号、ダウンリンクチャネル状態情報参照信号（channel state information reference signal：ＣＳＩ−ＲＳ）、アップリンク位相追跡参照信号（phase tracking reference signal：ＰＴＲＳ）、及びダウンリンクＰＴＲＳのうちのうちの１つを含む。
【００３６】
本実施形態において、ＮＢＷＰは、帯域幅部分の帯域幅値であり、ＮＵＬＢＷＰは、アップリンク帯域幅部分を表し、ＮＤＬＢＷＰは、ダウンリンク帯域幅部分を表す。
【００３７】
例示的な実施モードでは、リソース又はパラメータは、少なくとも、周波数領域開始位置、周波数領域終了位置、伝送帯域幅、セグメント数、帯域幅構成インデクス、帯域幅パラメータ、リソースが繰り返されているか又は同じであるかを指示するパラメータ、アンテナポート番号又はインデクス、マルチレベル帯域幅構造における参照信号の最大帯域幅の周波数領域開始位置の算出法、マルチレベル帯域幅構造における参照信号の最大帯域幅の周波数領域開始位置の取得に関するパラメータ、又は参照信号を含むマルチレベル帯域幅構造の情報のうちの１以上を含む。
【００３８】
本実施形態では、セグメント数は、ＬＴＥの帯域幅構成テーブル４ａにおけるＮ０，Ｎ１，Ｎ２，Ｎ3と同じ意味を有していてもよく、セグメント数は、参照信号のツリー構造の帯域幅構成において、現在のレベルの伝送帯域幅に対する前のレベルの伝送帯域幅の比として定義してもよい。
【００３９】
本実施形態では、参照信号は、送信ビーム、送信アンテナ、送信セクタ、送信端事前符号化、アンテナポート指示、アンテナ重みベクトル指示、アンテナ重み行列指示、空間分割多重化モード、周波数領域／時間領域送信ダイバーシチモード、送信シーケンス、送信層数、送信モデル、変調及び符号化モード、又は参照信号指示のうちの少なくとも１つの方式で送信してもよい。
【００４０】
本実施形態では、参照信号は、受信ビーム、受信アンテナ、受信アンテナパネル、受信セクタ、第１のビームリソースが参照信号とアンテナポートの両方のＱｕａｓｉ−Ｃｏ−Ｌｏｃａｔｉｏｎ（ＱＣＬ）で示される第１の通信ノードのビームリソースである場合に、第１のビームリソースに対応する方式、又は第２のビームリソースが基準参照信号とアンテナポートの両方のＱＣＬで示される第１の通信ノードのビームリソースである場合に、第２のビームリソースに対応する方式のうちの少なくとも１つの方式で受信してもよい。
【００４１】
例示的な実施モードでは、第１の通信ノードによって、第２の通信ノードが参照信号を送信するためのリソース又はパラメータを決定するステップは、第１の通信ノードによって、第１の通信ノード及び第２の通信ノードによって事前に定義されている規則に基づいて、第２の通信ノードが参照信号を送信するためのリソース又はパラメータを決定することを含むことができる。
【００４２】
例示的な実施モードでは、第１の通信ノードによって、第２の通信ノードが参照信号を送信するためのリソース又はパラメータを決定することは、以下に示すステップのうちの少なくとも１つを含む。
【００４３】
第１の通信ノードによって、第２の通信ノードのために構成された帯域幅部分の帯域幅値又は帯域幅構成インデクスの少なくとも１つに基づいて、第２の通信ノードが実際に使用する帯域幅構成インデクスを決定する。
【００４４】
第１の通信ノードによって、参照信号の帯域幅構成インデクスに基づいて、参照信号の伝送帯域幅集合を決定する。
【００４５】
第１の通信ノードによって、第２の通信ノードのために構成された帯域幅部分の帯域幅値、帯域幅構成インデクス又は帯域幅パラメータの少なくとも１つに基づいて、参照信号の伝送帯域幅又はセグメント数を決定する。
【００４６】
例示的な実施モードでは、第１の通信ノードによって、第２の通信ノードのために構成された帯域幅部分の帯域幅値又は帯域幅構成インデクスの少なくとも１つに基づいて、第２の通信ノードが実際に使用する帯域幅構成インデクスを決定することは、以下のステップを含む。
【００４７】
第２の通信ノードが実際に使用する帯域幅構成インデクスを以下のうちの少なくとも１つを含むものとして決定する。
【００４８】
【数１】
0006971334.tif 000002
又は
（５）帯域幅構成インデクスに対応する参照信号の最大伝送帯域幅が、
【数２】
0006971334.tif 000003
以下である場合に、最大帯域幅構成インデクスを選択し、最大帯域幅構成インデクスからＣＳＲＳを減算し、第２の通信ノードが実際に使用する帯域幅構成インデクスとする。
【００４９】
ここで、└  ┘はラウンドダウン関数であり、ＮＢＷＰは、帯域幅部分の帯域幅値であり、ＣＳＲＳは、帯域幅構成インデクスであり、第１の通信ノードは、シグナリングを介して、第２の通信ノードのためのＣＳＲＳ及びＮＢＷＰを構成する。
【００５０】
例示的な実施モードでは、第１の通信ノードによって、参照信号の帯域幅構成インデクスに基づいて参照信号の伝送帯域幅集合を決定することは、以下のステップを含む。
【００５１】
参照信号の帯域幅構成インデクスが１７以上である場合、参照信号の帯域幅構成インデクスが１４以下である場合、又は参照信号の帯域幅構成インデクスが０から３１又は０から６３の範囲に含まれる整数である場合に、伝送帯域幅集合を以下のうちの少なくとも１つを含むものとして決定する。
【００５２】
（１）１０８，３６，１２，４
（２）１１２，５６，２８，４
（３）１１２，５６，８，４
（４）１２０，６０，２０，４
（５）１２０，４０，２０，４
（６）１２８，６４，３２，４
（７）１２８，３２，１６，４
（８）１２８，３２，８，４
（９）１３６，６８，４，４
（１０）１４４，７２，２４，４
（１１）１４４，７２，３６，４
（１２）１４４，７２，１２，４
（１３）１４４，４８，２４，４
（１４）１４４，４８，１２，４
（１５）１４４，４８，１６，４
（１６）１４４，４８，８，４
（１７）１６０，８０，４０，４
（１８）１６０，８０，２０，４
（１９）１６０，４０，２０，４
（２０）１６０，４０，８，４
（２１）１６８，８４，２８，４
（２２）１７６，８８，４４，４
（２３）１８０，６０，２０，４
（２４）１９２，９６，３２，４
（２５）１９２，９６，４８，４
（２６）１９２，４８，２４，４
（２７）１９２，４８，１６，４
（２８）１９２，４８，１２，４
（２９）２００，１００，２０，４
（３０）２００，４０，２０，４
（３１）２００，４０，８，４
（３２）２０８，１０４，５２，４
（３３）２１６，１０８，３６，４
（３４）２４０，１２０，６０，４
（３５）２４０，１２０，４０，４
（３６）２４０，１２０，２０，４
（３７）２４０，８０，４０，４
（３８）２４０，８０，２０，４
（３９）２４０，８０，８，４
（４０）２５６，１２８，６４，４
（４１）２５６，６４，３２，４
（４２）２５６，６４，１６，４
（４３）２５６，６４，８，４
（４４）２７２，１３６，６８，４
【００５３】
例示的な実施モードでは、第１の通信ノードによって、第２の通信ノードのために構成された帯域幅部分の帯域幅値、帯域幅構成インデクス、又は帯域幅パラメータの少なくとも１つに基づいて、参照信号の伝送帯域幅又はセグメント数を決定するステップは、以下の方式のうちの少なくとも１つで実行され、又は１以上の帯域幅構成インデクスに対応する伝送帯域幅集合が、以下の関係のうちの１つを満たす。
【００５４】
方式１：
【数３】
0006971334.tif 000004
として、伝送帯域幅を
【数４】
0006971334.tif 000005
とする。ただしifは条件を表し、andは論理積を表し、Evenは偶数を表し、otherwiseは「それ以外の場合」を表す。
【００５５】
方式２：
【数５】
0006971334.tif 000006
として、伝送帯域幅を
【数６】
0006971334.tif 000007
とする。ただしifは条件を表し、andは論理積を表し、Evenは偶数を表し、otherwiseは「それ以外の場合」を表す。
【００５６】
方式３：
セグメント数を
【数７】
0006971334.tif 000008
とする。ただしifは条件を表し、andは論理積を表し、Evenは偶数を表し、Oddは奇数を表し、otherwiseは「それ以外の場合」を表す。
【００５７】
方式４：
伝送帯域幅を
【数８】
0006971334.tif 000009
とする。
【００５８】
方式５：
伝送帯域幅を
【数９】
0006971334.tif 000010
とする。ただしifは条件を表し、otherwiseは「それ以外の場合」を表す。
【００５９】
方式６：
伝送帯域幅を
【数１０】
0006971334.tif 000011
とする。ただしifは条件を表し、otherwiseは「それ以外の場合」を表す。
ここで、ｄｉは、２ｉ×３ｊ×５ｌ、又はｄｉは、１及び１７を含む１から１７までの範囲の１つ以上の整数であり、ｉ、ｊ、ｌの値は、非負整数であり、ｍＳＲＳ，ｉは、参照信号の伝送帯域幅であり、ｆｌｏｏｒ（）は、ラウンドダウン関数であり、└  ┘はラウンドダウン関数であり、ｉ＝ＢＳＲＳであり、ＢＳＲＳは、参照信号の帯域幅パラメータであり、ＮＢＷＰは、帯域幅部分の帯域幅値であり、第１の通信ノードは、シグナリングを介して、第２の通信ノードのためのＢＳＲＳ及びＮＢＷＰを構成する。
【００６０】
例示的な実施モードでは、シグナリングを介して、第２の通信ノードのリソース又はパラメータを示すことは、以下のステップを含む。
【００６１】
シグナリングを介して、第２の通信ノードに、第１の周波数領域開始位置に対する、参照信号を含むマルチレベル帯域幅構造における最大帯域幅に対応する周波数領域開始位置のオフセット値を指示し、第１の周波数領域開始位置は、第１の通信ノード及び第２の通信ノードにより事前に定義されている規則に基づいて、第２の通信ノードによって取得される。
【００６２】
例示的な実施モードでは、マルチレベル帯域幅構造における参照信号の最大帯域幅の周波数領域開始位置の算出法は、以下のうちの少なくとも１つを含む。
【００６３】
【数１１】
0006971334.tif 000012
ここで、第１の周波数領域開始位置は、
【数１２】
0006971334.tif 000013
である。
【００６４】
【数１３】
0006971334.tif 000014
ここで、第１の周波数領域開始位置は、
【数１４】
0006971334.tif 000015
である。
【００６５】
【数１５】
0006971334.tif 000016
ここで、第１の周波数領域開始位置は、
【数１６】
0006971334.tif 000017
である。
【００６６】
ここで、ΔＰＲＢｏｆｆｓｅｔは、第１の周波数領域開始位置に対する、参照信号を含むマルチレベル帯域幅構造における最大帯域幅に対応する周波数領域開始位置のオフセット値であって、ＮＲＢＳＣを単位とする整数であり、ＮＵＬＲＢは、帯域幅部分を表し、ｍＳＲＳ，０は、マルチレベル帯域幅構造における最大帯域幅に対応する周波数領域帯域幅の長さ情報であり、ｋ（ｐ）ＴＣは、単位ＮＲＢＳＣ内の最大帯域幅のオフセット量を表し、ｐは、ポートインデクスであり、ｍｍａｘＳＲＳ，０は、１以上のマルチレベル帯域幅構造における最大帯域幅の長さ情報である。
【００６７】
例示的な実施モードでは、マルチレベル帯域幅構造における参照信号の最大帯域幅の周波数領域開始位置の算出法は、以下の１つを含む。
【００６８】
【数１７】
0006971334.tif 000018
【００６９】
ここで、ΔＰＲＢｏｆｆｓｅｔは、オフセット値であって、ＮＲＢＳＣを単位とする整数であり、ＮＵＬＲＢは、帯域幅部分を表し、ｍＳＲＳ，０は、マルチレベル帯域幅構造における最大帯域幅に対応する周波数領域帯域幅の長さ情報であり、ｋ（ｐ）ＴＣは、単位ＮＲＢＳＣ内の最大帯域幅のオフセット量を表し、ｐは、ポートインデクスであり、ＢＳＲＳは、マルチレベル帯域幅構造における１個の周波数領域シンボル上の参照信号の帯域幅のレベル情報であり、Ｎｂ’は、第（ｂ’−１）レベルの１個の帯域幅に含まれる第ｂ’レベルの帯域幅数であり、ｍｍａｘＳＲＳ，０は、１以上のマルチレベル帯域幅構造における最大帯域幅の長さ情報である。
【００７０】
例示的な一実施モードでは、参照信号を含むマルチレベル構造における第ｂレベルの帯域幅の１個の帯域幅は、第（ｂ＋１）レベルの１以上の帯域幅を含み、ここで、ｂは、非負整数である。
【００７１】
例示的な実施モードでは、パラメータ又はパラメータの構成範囲は、１個の時間単位における時間領域シンボルの位置情報に基づいて取得され、又は参照信号リソースが１個の時間単位における異なる時間領域シンボル上にあり、パラメータ又はパラメータの構成範囲が異なる。
【００７２】
例示的な実施モードでは、アンテナポート番号又はインデクスは、Ｍ個の連続する時間領域シンボル上で不変のままであり、Ｍは、０より大きい整数である。
【００７３】
例示的な実施モードでは、シグナリングによって複数のリソースが指示されている場合、Ｌ個の連続する時間領域シンボル上で複数のリソースの構成値又はパラメータ値が同じであり、又はＬ個の連続する時間領域シンボル上で複数のリソースの構成値又はパラメータ値が異なり、Ｌは、０より大きい整数である。
【００７４】
例示的な実施モードでは、シグナリングを介して複数のリソースが指示されている場合、複数のリソースは、リソース集合又はリソースグループを構成し、リソース集合又はリソースグループのパラメータは、リソース集合又はリソースグループ内の複数のリソースが同じであるか又は繰り返されているかを指示するように構成される。
【００７５】
例示的な実施モードでは、リソースが繰り返されているか又は同じであるかを指示するパラメータの値が１であるか又は状態がオンである場合、リソースが繰り返されているか又は同じであるかを指示するパラメータは、リソース集合又はリソースグループ内の複数のＳＲＳリソースの全てのパラメータ構成値が同じであること、複数のＳＲＳリソース内の送信ビーム若しくはアンテナポート若しくは周波数領域リソースを表すために使用されるパラメータ値が同じであること、又は複数のＳＲＳリソースが同じ送信ビーム若しくはアンテナポート若しくは周波数領域リソースを使用することを指示する。
【００７６】
例示的な実施モードでは、複数のリソースは、以下からなるグループの少なくとも１つの機能を実施するように構成される：
‐参照信号のアンテナ又は送信ポートの切り替え、
‐同じ送信方式又は同じ周波数領域位置での複数の時間領域リソース上の参照信号の送信、及び
‐第１の通信ノードにおいて、同じ受信方式で、複数の時間領域リソース上で、第２の通信ノードから送信された参照信号を受信すること。
【００７７】
例示的な実施モードでは、セグメント数Ｎｉ≦Ｎｊであり、≦は、左辺が右辺以下であることを示し、ｉ＜ｊである。
【００７８】
図２は、本出願の一実施形態に基づく情報伝送方法のフローチャートである。図２に示すように、本実施形態における情報伝送方法は、以下のステップを含むことができる。
【００７９】
Ｓ２０１において、第２の通信ノードは、第１の通信ノードが送信したシグナリングを受信する。
【００８０】
Ｓ２０２では、シグナリングに基づいて、又はシグナリングと、第１の通信ノード及び第２の通信ノードによって事前に定義されている規則とに基づいて、参照信号を送信するためのリソース又はパラメータを決定する。
【００８１】
Ｓ２０３では、リソース又はパラメータを用いて参照信号を送信する。
【００８２】
本実施形態では、第１の通信ノードとは、第２の通信ノードの送信モードを決定し、第２の通信ノードにシグナリング指示を行うよう構成されたノードを指し、第２の通信ノードとは、シグナリングを受信するよう構成されたノードを指す。ある実施モードでは、第１の通信ノードは、マクロセルの基地局、スモールセルの基地局又は送信ノード、高周波通信システムの送信ノード、「モノのインターネット」システムの送信ノード等のノードであってもよく、第２の通信ノードは、ＵＥ、携帯電話、携帯デバイス、自動車等の通信システムのノードであってもよい。他の実施モードでは、マクロセルの基地局、スモールセルの基地局又は送信ノード、高周波通信システムの送信ノード、「モノのインターネット」システムの送信ノード等が第２の通信ノードとして機能し、ＵＥが第１の通信ノードとして機能してもよい。
【００８３】
本実施形態では、シグナリングは、ＲＲＣシグナリング、ＭＡＣ  ＣＥシグナリング、物理ダウンリンク制御シグナリング、又は物理層動的制御シグナリングの少なくとも１つを含むことができる。
【００８４】
本実施形態では、参照信号は、ＳＲＳ、アップリンク復調参照信号、ダウンリンク復調参照信号、ＣＳＩ−ＲＳ、アップリンクＰＴＲＳ、ダウンリンクＰＴＲＳのうちの１つを含む。
【００８５】
例示的な実施モードでは、リソース又はパラメータは、少なくとも、周波数領域開始位置、周波数領域終了位置、伝送帯域幅、セグメント数、帯域幅構成インデクス、帯域幅パラメータ、リソースが繰り返されているか又は同じであるかを指示するパラメータ、アンテナポート番号又はインデクス、マルチレベル帯域幅構造における参照信号の最大帯域幅の周波数領域開始位置の算出法、マルチレベル帯域幅構造における参照信号の最大帯域幅の周波数領域開始位置の取得に関するパラメータ、又は参照信号を含むマルチレベル帯域幅構造の情報のうちの１以上を含む。
【００８６】
例示的な実施モードでは、シグナリングに基づいて、又はシグナリングと、第１の通信ノード及び第２の通信ノードによって事前に定義されている規則とに基づいて、参照信号を送信するためのリソース又はパラメータを決定することは、以下のステップのうちの少なくとも１つを含む。
【００８７】
第２の通信ノードのためのシグナリングによって構成された帯域幅部分（ＢＷＰ）の帯域幅値又は帯域幅構成インデクスの少なくとも１つと、第１の通信ノード及び第２の通信ノードによって事前に定義されている規則とに基づいて、第２の通信ノードが実際に使用する帯域幅構成インデクスを第２の通信ノードが決定する。
【００８８】
参照信号の帯域幅構成インデクスと、第１の通信ノード及び第２の通信ノードにより事前に定義されている規則とに基づいて、参照信号の伝送帯域幅集合を、第２の通信ノードが決定する。
【００８９】
第２の通信ノードのためのシグナリングによって構成された帯域幅部分の帯域幅値、帯域幅構成インデクス、又は帯域幅パラメータの少なくとも１つと、第１の通信ノード及び第２の通信ノードによって事前に定義されている規則とに基づいて、参照信号の伝送帯域幅又はセグメント数を第２の通信ノードが決定する。
【００９０】
例示的な実施モードでは、第２の通信ノードに対するシグナリングによって構成された帯域幅部分の帯域幅値又は帯域幅構成インデクスの少なくとも１つと、第１の通信ノード及び第２の通信ノードによって事前に定義されている規則とに基づいて、第２の通信ノードが実際に使用する帯域幅構成インデクスを第２の通信ノードが決定することは、以下のステップを含む。
【００９１】
第２の通信ノードが実際に使用する帯域幅構成インデクスを以下のうちの少なくとも１つとして決定する。
【００９２】
【数１８】
0006971334.tif 000019
又は
（５）帯域幅構成インデクスに対応する参照信号の最大伝送帯域幅が、
【数１９】
0006971334.tif 000020
以下である場合に、最大帯域幅構成インデクスを選択し、最大帯域幅構成インデクスからＣＳＲＳを減算し、第２の通信ノードが実際に使用する帯域幅構成インデクスとする。
【００９３】
ここで、└  ┘はラウンドダウン関数であり、ＮＢＷＰは、帯域幅部分の帯域幅値であり、ＣＳＲＳは、帯域幅構成インデクスであり、第１の通信ノードは、シグナリングを介して、第２の通信ノードのためのＣＳＲＳ及びＮＢＷＰを構成する。
【００９４】
例示的な実施モードでは、参照信号の帯域幅構成インデクスと、第１の通信ノード及び第２の通信ノードにより事前に定義されている規則とに基づいて、参照信号の伝送帯域幅集合を第２の通信ノードが決定することは、以下のステップを含む。
【００９５】
参照信号の帯域幅構成インデクスが１７以上である場合、参照信号の帯域幅構成インデクスが１４以下である場合、又は参照信号の帯域幅構成インデクスが０から３１又は０から６３の範囲に含まれる整数である場合に、伝送帯域幅集合を以下のうちの少なくとも１つとして決定する。
【００９６】
（１）１０８，３６，１２，４
（２）１１２，５６，２８，４
（３）１１２，５６，８，４
（４）１２０，６０，２０，４
（５）１２０，４０，２０，４
（６）１２８，６４，３２，４
（７）１２８，３２，１６，４
（８）１２８，３２，８，４
（９）１３６，６８，４，４
（１０）１４４，７２，２４，４
（１１）１４４，７２，３６，４
（１２）１４４，７２，１２，４
（１３）１４４，４８，２４，４
（１４）１４４，４８，１２，４
（１５）１４４，４８，１６，４
（１６）１４４，４８，８，４
（１７）１６０，８０，４０，４
（１８）１６０，８０，２０，４
（１９）１６０，４０，２０，４
（２０）１６０，４０，８，４
（２１）１６８，８４，２８，４
（２２）１７６，８８，４４，４
（２３）１８０，６０，２０，４
（２４）１９２，９６，３２，４
（２５）１９２，９６，４８，４
（２６）１９２，４８，２４，４
（２７）１９２，４８，１６，４
（２８）１９２，４８，１２，４
（２９）２００，１００，２０，４
（３０）２００，４０，２０，４
（３１）２００，４０，８，４
（３２）２０８，１０４，５２，４
（３３）２１６，１０８，３６，４
（３４）２４０，１２０，６０，４
（３５）２４０，１２０，４０，４
（３６）２４０，１２０，２０，４
（３７）２４０，８０，４０，４
（３８）２４０，８０，２０，４
（３９）２４０，８０，８，４
（４０）２５６，１２８，６４，４
（４１）２５６，６４，３２，４
（４２）２５６，６４，１６，４
（４３）２５６，６４，８，４
（４４）２７２，１３６，６８，４
【００９７】
例示的な実施モードでは、第２の通信ノードのためのシグナリングによって構成された帯域幅部分の帯域幅値、帯域幅構成インデクス又は帯域幅パラメータの少なくとも１つと、第１の通信ノード及び第２の通信ノードによって事前に定義されている規則とに基づいて、参照信号の伝送帯域幅又はセグメント数を第２の通信ノードが決定することは、以下のいずれかの方式で実行される。
【００９８】
方式１：
【数２０】
0006971334.tif 000021
として、伝送帯域幅を
【数２１】
0006971334.tif 000022
とする。ただしifは条件を表し、andは論理積を表し、Evenは偶数を表し、otherwiseは「それ以外の場合」を表す。
方式２：
【数２２】
0006971334.tif 000023
として、伝送帯域幅を
【数２３】
0006971334.tif 000024
とする。ただしifは条件を表し、andは論理積を表し、Evenは偶数を表し、otherwiseは「それ以外の場合」を表す。
方式３：セグメント数を
【数２４】
0006971334.tif 000025
とする。ただしifは条件を表し、andは論理積を表し、Evenは偶数を表し、Oddは奇数を表し、otherwiseは「それ以外の場合」を表す。
方式４：
伝送帯域幅を
【数２５】
0006971334.tif 000026
とする。ただしifは条件を表し、otherwiseは「それ以外の場合」を表す。
方式６：伝送帯域幅を
【数２６】
0006971334.tif 000027
とする。ただしifは条件を表し、otherwiseは「それ以外の場合」を表す。
ここで、ｄｉは、２ｉ×３ｊ×５ｌ、又はｄｉは、１及び１７を含む１から１７までの範囲の１つ以上の整数であり、ｉ、ｊ、ｌの値は、非負整数であり、ｍＳＲＳ，ｉは、参照信号の伝送帯域幅であり、ｆｌｏｏｒ（）は、ラウンドダウン関数であり、└  ┘はラウンドダウン関数であり、ｉ＝ＢＳＲＳであり、ＢＳＲＳは、参照信号の帯域幅パラメータであり、ＮＢＷＰは、帯域幅部分の帯域幅値であり、第１の通信ノードは、シグナリングを介して、第２の通信ノードのためのＢＳＲＳ及びＮＢＷＰを構成する。
【００９９】
例示的な実施モードでは、シグナリングに基づいて、又はシグナリングと、第１の通信ノード及び第２の通信ノードによって事前に定義されている規則とに基づいて、参照信号を送信するためのリソース又はパラメータを決定することは、以下のステップを含む。
【０１００】
シグナリング又は合意された規則を介して、第１の周波数領域開始位置に対する、参照信号を含むマルチレベル帯域幅構造における最大帯域幅に対応する周波数領域開始位置のオフセット値を取得し、第１の周波数領域開始位置は、第２の通信ノードによって、第１の通信ノード及び第２の通信ノードによって事前に定義されている規則に基づいて取得される。
【０１０１】
例示的な実施モードでは、マルチレベル帯域幅構造における参照信号の最大帯域幅の周波数領域開始位置の算出法は、以下のうちの少なくとも１つを含む。
【０１０２】
【数２７】
0006971334.tif 000028
ここで、第１の周波数領域開始位置は、
【数２８】
0006971334.tif 000029
である。
【０１０３】
【数２９】
0006971334.tif 000030
ここで、第１の周波数領域開始位置は、
【０１０４】
【数３０】
0006971334.tif 000031
である。
【０１０５】
【数３１】
0006971334.tif 000032
ここで、第１の周波数領域開始位置は、
【数３２】
0006971334.tif 000033
である。
【０１０６】
ここで、ここで、ΔＰＲＢｏｆｆｓｅｔは、第１の周波数領域開始位置に対する、参照信号を含むマルチレベル帯域幅構造における最大帯域幅に対応する周波数領域開始位置のオフセット値であって、ＮＲＢＳＣを単位とする整数であり、ＮＵＬＲＢは、帯域幅部分を表し、ｍＳＲＳ，０は、マルチレベル帯域幅構造における最大帯域幅に対応する周波数領域帯域幅の長さ情報であり、ｋ（ｐ）ＴＣは、単位ＮＲＢＳＣ内の最大帯域幅のオフセット量を表し、ｐは、ポートインデクスであり、ｍｍａｘＳＲＳ，０は、１以上のマルチレベル帯域幅構造における最大帯域幅の長さ情報である。
【０１０７】
例示的な実施モードでは、マルチレベル帯域幅構造における参照信号の最大帯域幅の周波数領域開始位置の算出法は、以下の１つを含む。
【０１０８】
【数３３】
0006971334.tif 000034
【０１０９】
ここで、ΔＰＲＢｏｆｆｓｅｔは、オフセット値であって、ＮＲＢＳＣを単位とする整数であり、ＮＵＬＲＢは、帯域幅部分を表し、ｍＳＲＳ，０は、マルチレベル帯域幅構造における最大帯域幅に対応する周波数領域帯域幅の長さ情報であり、ｋ（ｐ）ＴＣは、単位ＮＲＢＳＣ内の最大帯域幅のオフセット量を表し、ｐは、ポートインデクスであり、ＢＳＲＳは、マルチレベル帯域幅構造における１個の周波数領域シンボル上の参照信号の帯域幅のレベル情報であり、Ｎｂ’は、第（ｂ’−１）レベルの１個の帯域幅に含まれる第ｂ’レベルの帯域幅数であり、ｍｍａｘＳＲＳ，０は、１以上のマルチレベル帯域幅構造における最大帯域幅の長さ情報である。
【０１１０】
例示的な一実施モードでは、参照信号を含むマルチレベル構造における第ｂレベルの帯域幅の１個の帯域幅は、第（ｂ＋１）レベルの１以上の帯域幅を含み、ここで、ｂは、非負整数である。
【０１１１】
例示的な実施モードでは、パラメータ又はパラメータの構成範囲は、１個の時間単位における時間領域シンボルの位置情報に基づいて取得され、又は参照信号リソースが１個の時間単位における異なる時間領域シンボル上にあり、パラメータ又はパラメータの構成範囲が異なる。
【０１１２】
例示的な実施モードでは、アンテナポート番号又はインデクスは、Ｍ個の連続する時間領域シンボル上で不変のままであり、Ｍは、０より大きい整数である。
【０１１３】
例示的な実施モードでは、参照信号を送信するための複数のリソースが含まれる場合、Ｌ個の連続する時間領域シンボル上で複数のリソースの構成値又はパラメータ値が同じであり、又はＬ個の連続する時間領域シンボル上で複数のリソースの構成値又はパラメータ値が異なり、Ｌは、０より大きい整数である。
【０１１４】
例示的な実施モードでは、参照信号を送信するための複数のリソースが含まれる場合、複数のリソースは、リソース集合又はリソースグループを構成し、リソース集合又はリソースグループのパラメータは、リソース集合又はリソースグループ内の複数のリソースが同じであるか又は繰り返されているかを指示するように構成される。
【０１１５】
例示的な実施モードでは、リソースが繰り返されているか又は同じであるかを指示するパラメータの値が１であるか又は状態がオンである場合、リソースが繰り返されているか又は同じであるかを指示するパラメータは、リソース集合又はリソースグループ内の複数のＳＲＳリソースの全てのパラメータ構成値が同じであること、複数のＳＲＳリソース内の送信ビーム若しくはアンテナポート若しくは周波数領域リソースを表すために使用されるパラメータ値が同じであること、又は複数のＳＲＳリソースが同じ送信ビーム若しくはアンテナポート若しくは周波数領域リソースを使用することを指示する。
【０１１６】
図３は、本出願の一実施形態に基づく情報伝送方法のフローチャートである。図３に示すように、本実施形態における情報伝送方法は、以下のステップを含むことができる。
【０１１７】
Ｓ３０１において、第１の通信ノードは、参照信号リソースの第１レベルパラメータ及び第２レベルパラメータを決定し、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含む。
【０１１８】
Ｓ３０２において、第１の通信ノードは、第１レベルパラメータ及び第２レベルパラメータに基づいて参照信号を受信する。
【０１１９】
１個のアンテナポートグループ内の各アンテナポートで同時に送信を行う。
【０１２０】
例示的な実施モードでは、第１の通信ノードが第１レベルパラメータ及び第２レベルパラメータに基づいて参照信号を受信することは、以下のステップを含む。
【０１２１】
参照信号について、まず、ある周波数領域単位においてＮ１個の時間領域シンボルを繰り返し受信し、次に、ホッピングされた別の周波数領域単位においてＮ１個の時間領域シンボルを繰り返し受信する。
【０１２２】
例示的な実施モードでは、第１の通信ノードによって、第１レベルパラメータ及び第２レベルパラメータに基づいて参照信号を受信することは、以下のステップを含む。
【０１２３】
複数のポートグループが設けられている場合、まず、１個のポートグループを用いてＮ２個の時間領域シンボルを繰り返し受信し、次に、別のポートグループを用いてＮ２個の時間領域シンボルを繰り返し受信する。
【０１２４】
例示的な実施モードでは、Ｎ２は、Ｎ１未満である。
【０１２５】
例示的な実施モードでは、１個の周波数領域ユニットのＮ１個の時間領域シンボル上で、異なるアンテナポートグループが時分割多重化され、各アンテナポートグループは、Ｎ２個の時間領域シンボルを連続的に受信する。
【０１２６】
例示的な実施モードでは、方法は、以下のステップを更に含む。
【０１２７】
第１の通信ノードが、シグナリングを介して、参照信号リソースの第１レベルパラメータ及び第２レベルパラメータを第２の通信ノードに指示する。
【０１２８】
例示的な実施モードでは、参照信号リソースにおいて構成される時間領域シンボルの数は、Ｎであり、Ｎ１は、Ｎ以下であり、Ｎ２は、Ｎ以下である。
【０１２９】
本実施形態のある実施モードでは、第１の通信ノードは、マクロセルの基地局、スモールセルの基地局又は送信ノード、高周波通信システムの送信ノード、「モノのインターネット」システムの送信ノード等のノードであってもよく、第２の通信ノードは、ＵＥ、携帯電話、携帯デバイス、自動車等の通信システムのノードであってもよい。他の実施モードでは、マクロセルの基地局、スモールセルの基地局又は送信ノード、高周波通信システムの送信ノード、「モノのインターネット」システムの送信ノード等が第２の通信ノードとして機能し、ＵＥが第１の通信ノードとして機能してもよい。
【０１３０】
図４は、本出願の一実施形態に基づく情報伝送方法のフローチャートである。図４に示すように、本実施形態における情報伝送方法は、以下のステップを含むことができる。
【０１３１】
Ｓ４０１において、第２の通信ノードは、参照信号リソースの第１レベルパラメータ及び第２レベルパラメータを決定し、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含む。
【０１３２】
Ｓ４０２において、第２の通信ノードは、第１レベルパラメータ及び第２レベルパラメータに基づいて、参照信号を送信する。
【０１３３】
１個のアンテナポートグループ内の各アンテナポートは、同時に送信される。
【０１３４】
例示的な実施モードでは、第２の通信ノードが第１レベルパラメータ及び第２レベルパラメータに基づいて参照信号を送信することは、以下のステップを含む。
【０１３５】
参照信号について、まず、ある周波数領域単位でＮ１個の時間領域シンボルを繰り返し送信し、次に、ホッピングされた別の周波数領域単位でＮ１個の時間領域シンボルを繰り返し送信する。
【０１３６】
例示的な実施モードでは、第２の通信ノードによって、第１レベルパラメータ及び第２レベルパラメータに基づいて参照信号を送信することは、以下のステップを含む。
【０１３７】
複数のポートグループが設けられている場合、まず、１個のポートグループを用いてＮ２個の時間領域シンボルを繰り返し送信し、次に、別のポートグループを用いてＮ２個の時間領域シンボルを繰り返し送信する。
【０１３８】
例示的な実施モードでは、Ｎ２は、Ｎ１未満である。
【０１３９】
例示的な実施モードでは、１個の周波数領域ユニットのＮ１個の時間領域シンボル上で、異なるアンテナポートグループが時分割多重化され、各アンテナポートグループは、Ｎ２個の時間領域シンボルを連続的に送信する。
【０１４０】
例示的な実施モードでは、本方法は、以下のステップを更に含む。
【０１４１】
第１の通信ノードが参照信号リソースの第１レベルパラメータ及び第２レベルパラメータを指示するシグナリングを、第２の通信ノードが受信する。
【０１４２】
例示的な実施モードでは、参照信号リソースにおいて構成される時間領域シンボルの数は、Ｎであり、Ｎ１は、Ｎ以下であり、Ｎ２は、Ｎ以下である。
【０１４３】
本実施形態のある実施モードでは、第１の通信ノードは、マクロセルの基地局、スモールセルの基地局又は送信ノード、高周波通信システムの送信ノード、「モノのインターネット」システムの送信ノード等のノードであってもよく、第２の通信ノードは、ＵＥ、携帯電話、携帯デバイス、自動車等の通信システムのノードであってもよい。他の実施モードでは、マクロセルの基地局、スモールセルの基地局又は送信ノード、高周波通信システムの送信ノード、「モノのインターネット」システムの送信ノード等が第２の通信ノードとして機能し、ＵＥが第１の通信ノードとして機能してもよい。
【０１４４】
以下、本願の解決策について、複数の例を用いて説明する。
【０１４５】
［例１］
【０１４６】
この例では、第１の通信ノードが、シグナリングによって、第２の通信ノードがアップリンク参照信号を送信するためのパラメータを指示する。あるいは、第１の通信ノードと第２の通信ノードの両方が、第２の通信ノードがアップリンク参照信号を送信するためのパラメータを事前に定義しており、例えば、第１の通信ノードと第２の通信ノードによって、伝送帯域幅又はＳＲＳのセグメント数を計算する式が事前に定義されている。
【０１４７】
この例では、ＳＲＳを例に参照信号を説明する。パラメータは、帯域幅構成インデクス、伝送帯域幅、又は帯域幅パラメータのうちの少なくとも１つを含むことができる。
【０１４８】
この例では、第２の通信ノードは、第１の通信ノードから送信されたシグナリングを受信した後、以下のいずれかの方式に基づいて、ＳＲＳの伝送帯域幅又はセグメント数を決定できる。
【０１４９】
方式１：
【数３４】
0006971334.tif 000035
として、伝送帯域幅を
【数３５】
0006971334.tif 000036
とする。ただしifは条件を表し、andは論理積を表し、Evenは偶数を表し、otherwiseは「それ以外の場合」を表す。
【０１５０】
方式２：
【数３６】
0006971334.tif 000037
として、伝送帯域幅を
【数３７】
0006971334.tif 000038
とする。ただしifは条件を表し、andは論理積を表し、Evenは偶数を表し、otherwiseは「それ以外の場合」を表す。
【０１５１】
方式３：
セグメント数を
【数３８】
0006971334.tif 000039
とする。ただしifは条件を表し、andは論理積を表し、Evenは偶数を表し、Oddは奇数を表し、otherwiseは「それ以外の場合」を表す。
【０１５２】
第ｉレベルの伝送帯域幅は、総帯域幅及びセグメント数に基づいて決定してもよい。
【０１５３】
方式４：
ＳＲＳの伝送帯域幅を
【数３９】
0006971334.tif 000040
とする。
【０１５４】
方式５：
伝送帯域幅を
【数４０】
0006971334.tif 000041
とする。ただしifは条件を表し、otherwiseは「それ以外の場合」を表す。
【０１５５】
方式６：
伝送帯域幅を
【数４１】
0006971334.tif 000042
とする。ただしifは条件を表し、otherwiseは「それ以外の場合」を表す。
ここで、ｄｉは、２ｉ×３ｊ×５ｌ、又はｄｉは、１及び１７を含む１から１７までの範囲の１つ以上の整数であり、ｉ、ｊ、ｌの値は、非負整数であり、ｍＳＲＳ，ｉは、参照信号の伝送帯域幅であり、ｆｌｏｏｒ（）は、ラウンドダウン関数であり、└  ┘はラウンドダウン関数であり、ｉ＝ＢＳＲＳであり、ＢＳＲＳは、参照信号の帯域幅パラメータであり、ＮＢＷＰは、帯域幅部分の帯域幅値であり、第１の通信ノードは、シグナリングを介して、第２の通信ノードのためのＢＳＲＳ及びＮＢＷＰを構成する。
【０１５６】
［例２］
【０１５７】
この例では、第１の通信ノードが、シグナリングによって、第２の通信ノードがアップリンク参照信号を送信するためのパラメータを指示する。あるいは、第１の通信ノードと第２の通信ノードの両方が、第２の通信ノードがアップリンク参照信号を送信するためのパラメータを事前に定義しており、例えば、第１の通信ノードと第２の通信ノードによってＳＲＳの伝送帯域幅の構成テーブルが事前に定義されている。
【０１５８】
この例では、ＳＲＳを例に参照信号を説明する。パラメータは、帯域幅構成インデクス、伝送帯域幅、又は帯域幅パラメータのうちの少なくとも１つを含むことができる。
【０１５９】
この例では、第２の通信ノードは、第１の通信ノードからシグナリングを受信した後、シグナリングによって構成されたＮＢＷＰ、ＣＳＲＳ、及びＢＳＲＳのうちの少なくとも１つと、事前に定義された伝送帯域幅の構成テーブルとに基づいて、ＳＲＳの伝送帯域幅を決定できる。
【０１６０】
ＳＲＳの伝送帯域の構成テーブルとして、以下の表２ａ、表２ｂ、表２ｃ、表２ｄを参照でき、ここで、ＣＳＲＳは、ＳＲＳの帯域幅構成インデクスであり、ＢＳＲＳは、ＳＲＳの帯域幅パラメータであり、ＮＢＷＰは、アップリンク帯域幅部分の帯域幅値である。ＮＢＷＰ、ＣＳＲＳ及びＢＳＲＳのうちの少なくとも１つの値は、第１の通信ノードによって、シグナリングを介して、第２の通信ノードのために構成できる。
【表２ａ】
0006971334.tif 000043
【表２ｂ】
0006971334.tif 000044
【表２ｃ】
0006971334.tif 000045
【表２ｄ】
0006971334.tif 000046
【０１６１】
［例３］
【０１６２】
この例では、第１の通信ノードが、シグナリングによって、第２の通信ノードがアップリンク参照信号を送信するためのパラメータを指示する。あるいは、第１の通信ノードと第２の通信ノードの両方が、第２の通信ノードがアップリンク信号を送信するためのパラメータを事前に定義しており、例えば、ＳＲＳの伝送帯域幅の構成テーブルが第１の通信ノードと第２の通信ノードによって事前に定義されている。
【０１６３】
この例では、ＳＲＳを例に参照信号を説明する。パラメータは、帯域幅構成インデクス、伝送帯域幅、又は帯域幅パラメータのうちの少なくとも１つを含むことができる。
【０１６４】
この例では、第２の通信ノードは、第１の通信ノードからシグナリングを受信した後、シグナリングによって構成されたＣＳＲＳ及びＢＳＲＳのうちの少なくとも１つと、事前に定義された伝送帯域幅の構成テーブルとに基づいてＳＲＳの伝送帯域幅を決定できる。
【０１６５】
この例では、ＳＲＳの伝送帯域の構成テーブルとして、以下の表３ａ、表３ｂ、表３ｃ、表３ｄを参照でき、ＣＳＲＳは、ＳＲＳの帯域幅構成インデクスであり、ＢＳＲＳは、ＳＲＳの帯域幅パラメータである。ＣＳＲＳ及びＢＳＲＳのうちの少なくとも１つの値は、第１の通信ノードによって、シグナリングを介して、第２の通信ノードのために構成される。
【表３ａ】
0006971334.tif 000047
【表３ｂ】
0006971334.tif 000048
【表３ｃ】
0006971334.tif 000049
【表３ｄ】
0006971334.tif 000050
【０１６６】
［例４］
【０１６７】
この例では、第１の通信ノードが、シグナリングによって、第２の通信ノードがアップリンク参照信号を送信するためのパラメータを指示する。あるいは、第１の通信ノードと第２の通信ノードの両方が、第２の通信ノードがアップリンク信号を送信するためのパラメータを事前に定義しており、例えば、ＳＲＳの伝送帯域幅の構成テーブルが第１の通信ノードと第２の通信ノードによって事前に定義されている。
【０１６８】
この例では、ＳＲＳを例に参照信号を説明する。パラメータは、帯域幅構成インデクス、伝送帯域幅、帯域幅パラメータ、又はアップリンク帯域幅部分の帯域幅値のうちの少なくとも１つを含むことができる。
【０１６９】
この例では、第２の通信ノードは、第１の通信ノードからシグナリングを受信した後、シグナリングによって構成されたアップリンク帯域幅部分の帯域幅値、ＣＳＲＳ及びＢＳＲＳのうちの少なくとも１つと、事前に定義された伝送帯域幅の構成テーブルとに基づいてＳＲＳの伝送帯域幅を決定する。
【０１７０】
アップリンク帯域幅部分の帯域幅値ＮＵＬＲＢが１１０個の物理リソースブロック（physical resource block：ＰＲＢ）以下の場合は、ＬＴＥにおけるＳＲＳの伝送帯域幅の構成テーブル、すなわち表２ａ、表２ｂ、表２ｃ、又は表２ｄを用いる。
【０１７１】
アップリンク帯域幅部分の帯域幅値が１１０個のＰＲＢを超える場合、表４ｅ、表４ｆ、表４ｇ、又は表４ｉを使用する。
【０１７２】
表４ａは、６≦ＮＵＬＲＢ≦４０のときのｍＳＲＳ，ｂ及びＮｂ（ｂ＝０，１，２，３）の値を示している。
【表４ａ】
0006971334.tif 000051
【０１７３】
表４ｂは、６≦ＮＵＬＲＢ≦４０のときの、ｍＳＲＳ，ｂ及びＮｂ（ｂ＝０，１，２，３）の値を示している。
【表４ｂ】
0006971334.tif 000052
【０１７４】
表４ｃは、６０≦ＮＵＬＲＢ≦８０のときのｍＳＲＳ，ｂ及びＮｂ（ｂ＝０，１，２，３）の値を示している。
【表４ｃ】
0006971334.tif 000053
【０１７５】
表４ｄは、８０≦ＮＵＬＲＢ≦１１０のときのｍＳＲＳ，ｂ及びＮｂ（ｂ＝０，１，２，３）の値を示している。
【表４ｄ】
0006971334.tif 000054
【０１７６】
表４ｅは、１１０≦ＮＵＬＲＢ≦１６０のときのｍＳＲＳ，ｂ及びＮｂ（ｂ＝０，１，２，３）の値を示している。
【表４ｅ】
0006971334.tif 000055
【０１７７】
表４ｆは、１６０≦ＮＵＬＲＢ≦２００のときのｍＳＲＳ，ｂ及びＮｂ（ｂ＝０，１，２，３）の値を示している。
【表４ｆ】
0006971334.tif 000056
【０１７８】
表４ｇは、２００≦ＮＵＬＲＢ≦２４０のときのｍＳＲＳ，ｂ及びＮｂ（ｂ＝０，１，２，３）の値を示している。
【表４ｇ】
0006971334.tif 000057
【０１７９】
表４ｉは、２４０≦ＮＵＬＲＢ≦２８０のときのｍＳＲＳ，ｂ及びＮｂ（ｂ＝０，１，２，３）の値を示している。
【表４ｉ】
0006971334.tif 000058
【０１８０】
この例では、第１の通信ノードは、シグナリングを介して、第２の通信ノードがアップリンク参照信号を送信するためのパラメータを指示し、このパラメータは、マルチレベル帯域幅構造におけるＳＲＳの最大帯域幅に対応する周波数領域開始位置を含むことができる。
【０１８１】
例えば、マルチレベル帯域幅構造における最大帯域幅に対応する周波数領域開始位置の算出法は、２ビット物理ダウンリンク制御シグナリング又は上位層シグナリングにより指示される。
【０１８２】
周波数領域開始位置の算出法は、以下のうちの少なくとも１つを含む。
【０１８３】
【数４２】
0006971334.tif 000059
【０１８４】
ここで、ΔＰＲＢｏｆｆｓｅｔは、オフセット値（すなわち、所定の周波数領域開始位置からオフセットされたＰＲＢ数）であって、ＮＲＢＳＣ（例えば、ＰＲＢ内のサブキャリアの数）を単位とする整数であり、ＮＵＬＲＢは、帯域幅部分又はアップリンクシステム帯域幅（ＰＲＢ単位）を表し、ｍＳＲＳ，０は、マルチレベル帯域幅構造における最大帯域幅に対応する周波数領域帯域幅の長さ情報（ＰＲＢ単位、例えば、ツリー構造の第０レベルの帯域幅の長さ）であり、ｋ（ｐ）ＴＣは、単位ＮＲＢＳＣ内の最大帯域幅のオフセット量（例えば、櫛インデクス値）を表し、ＢＳＲＳは、マルチレベル帯域幅構造における１個の周波数領域シンボル上の参照信号の帯域幅のレベル情報（図５に示すように、ＢＳＲＳ＝３）であり、Ｎｂ’は、第（ｂ’−１）レベルの１個の帯域幅に含まれる、第ｂ’のレベルの帯域幅数であり、ｐは、参照信号を含むポート番号又はポートインデクスであり、ｍｍａｘＳＲＳ，０は、１以上のマルチレベル帯域幅構造における最大帯域幅の長さ情報である。
【０１８５】
参照信号を含むマルチレベル帯域幅構造は、第ｂレベルの帯域幅の１個の帯域幅が、第（ｂ＋１）レベルの１以上の帯域幅を含むことを表し、ツリー構造とも呼ばれる。例えば、図５に示すように、第（ｂ＝０）レベルの１個の帯域幅は、第（ｂ＝１）レベルの２個の帯域幅を含み、第（ｂ＝１）レベルの１個の帯域幅は、第（ｂ＝２）レベルの２個の帯域幅を含む。図５において、異なるｂについて、第ｂレベルの帯域幅は、常に第（ｂ＋１）レベルの２個の帯域幅を含む。図５は、一例であり、他の場合を除外するものではなく、例えば、図６のマルチレベル帯域幅構造では、第（ｂ＝２）レベルの１個の帯域幅が第（ｂ＝３）レベルの４個の帯域幅に対応する。
【０１８６】
［例６］
【０１８７】
この例では、第１の通信ノードが、シグナリングによって、第２の通信ノードがアップリンク参照信号を送信するためのパラメータを指示する。あるいは、第１の通信ノードと第２の通信ノードの両方が、アップリンク参照信号を送信するための第２の通信ノードのパラメータを事前に定義する。
【０１８８】
パラメータ又はパラメータの構成範囲は、１個の時間単位における時間領域シンボルの位置情報に基づいて取得され、又は参照信号リソースが１個の時間単位における異なる時間領域シンボル上にあり、パラメータ又はパラメータの構成範囲が異なる。
【０１８９】
時間スロット内の異なる時間領域シンボル上のＳＲＳのパラメータは、異なり（例えば、パラメータは、時間領域シンボルレベルで構成してもよく）、パラメータは、ＳＲＳが占有する周波数領域長、ＳＲＳの伝送帯域幅の周波数領域開始位置、ツリーの周波数領域開始位置、周波数領域終了位置、離散周波数領域リソース、マルチレベル帯域幅構造における参照信号の最大帯域幅の周波数領域開始位置の算出法、マルチレベル帯域幅構造における参照信号の最大帯域幅の周波数領域開始位置の取得に関するパラメータ、又はマルチレベル帯域幅構造の構成情報のうちの１以上を含むことができる。
【０１９０】
物理アップリンク制御チャネル（physical uplink control channel：ＰＵＣＣＨ）は、異なる長さを有するので、ＰＵＣＣＨが占有する周波数領域リソースは、異なる時間領域シンボル上で異なる。ＳＲＳの時間領域シンボル位置が異なる場合、対応するパラメータ又はパラメータ範囲を調整する必要がある。図７ａ〜図７ｆは、異なる時間領域シンボル上でＰＵＣＣＨが占有する周波数領域の位置を示す概略図であり、ＳＲＳのパラメータ又はパラメータ範囲は、時間スロットにおける時間領域シンボルの位置インデクスに基づいて求められる。パラメータは、時間領域シンボル上のＳＲＳの伝送帯域幅（すなわち、ＳＲＳの伝送帯域幅は、ＬＴＥにおける差異と同様に、異なる時間領域シンボル上で異なっていてもよい。）、ＳＲＳの伝送帯域幅の周波数領域開始位置（すなわち、ＳＲＳの伝送帯域幅の周波数領域開始位置は、ＬＴＥにおける差異と同様に、異なる時間領域シンボル上で異なっていてもよい。）、ツリーの周波数領域開始位置（すなわち、ここでの説明と同様に、マルチレベル帯域幅構造における参照信号の最大帯域幅の周波数領域開始位置の算出法）、周波数領域終了位置（例えば、周波数領域終了位置は、異なる時間領域シンボル上で異なってもよい。）、離散周波数領域リソース（ＰＵＣＣＨによって生じる周波数領域フラグメントのために、ＳＲＳによって占有されるＰＲＢは、１個の時間領域シンボル上で隣接していなくてもよく、したがって、各ＳＲＳによって占有されるＰＲＢ集合は、異なる時間領域シンボル上で異なっていてもよい。）、マルチレベル帯域幅構造における参照信号の最大帯域幅の周波数領域開始位置の取得に関するパラメータ（ここに説明するように、時間領域シンボルによって変化してもよい。）、又はマルチレベル帯域幅の構成情報（ツリー構造パラメータが異なり、例えば、異なる時間領域シンボルが異なるツリー構造に対応し、ツリー構造は、ＬＴＥの場合と同様に表現される。）を含むことができる。
【０１９１】
本実施形態では、参照信号のパラメータ又はパラメータ範囲は、異なる時間領域シンボル上で異なってもよく、異なる時間領域シンボル上のＳＲＳは、異なるＳＲＳリソースに属してもよく、又は１個のＳＲＳリソースに属してもよい。時間領域シンボルとパラメータ（又はパラメータ範囲）との間の対応関係を確立してもよく、対応する時間領域シンボルに属する全てのＳＲＳリソースは、時間領域シンボルに対応するパラメータ又はパラメータ範囲に準拠していてもよい。あるいは、異なる時間領域シンボルとＳＲＳリソースのパラメータ（又はパラメータ範囲）との間の対応関係を確立し、あるユーザの同じ時間領域シンボルに属する異なるＳＲＳリソースは、上記のパラメータについて異なっていてもよい。
【０１９２】
［例７］
【０１９３】
この例では、ＳＲＳのパラメータを構成するために、ＳＲＳリソースの定義を巧みに利用する。基地局は、ユーザのために１以上のＳＲＳリソースを構成でき、各ＳＲＳリソースは、複数のパラメータ（例えば、アンテナポートの数Ｘ、周期、時間領域サブフレーム又は時間スロットオフセット、櫛インデクス、周波数領域開始位置、周波数ホッピングが存在するか否か、又はアンテナスイッチングを実行するか否か）を含む。
【０１９４】
ＬＴＥシステムでは、これらのパラメータは、ＲＲＣシグナリングによって構成される。ＮＲシステムでは、全てのパラメータは、１個のＳＲＳリソースパラメータに配置して構成してもよく、ＲＲＣシグナリングによっても構成される。ＮＲシステムにおけるＳＲＳ伝送には、１個のタイムスロット内の多数の時間領域シンボルが使用される場合があるため、ＳＲＳリソースパラメータは、１個のタイムスロットＮ内のＳＲＳが占有する時間領域シンボルの数及び時間領域シンボルの位置も含む。
【０１９５】
ＬＴＥでは、アンテナ切替がオンの場合、各時間領域シンボルに１個のアンテナポートしかマッピングできない。周波数ホッピングがオンの場合、ＳＲＳは、連続して送信される際に異なるサブバンドに配置されることがある。ＳＲＳリソースが１個のタイムスロット内でＮ個の時間領域シンボルによって構成されている場合、構成されるアンテナの数は、Ｎ未満であり、例えば、Ｎ＝４の場合、アンテナの数は、２である。周波数ホッピングとアンテナスイッチングが同時にオンである場合、アンテナと周波数切替が頻繁になりすぎ、ＵＥの複雑さが増す。図８ａに示すように、ＳＲＳ送信の間、１個のタイムスロット内の４個の時間領域シンボルについてアンテナポートを３回切り替え、周波数領域位置を３回切り替える必要がある。ｓ０、ｓ１、ｓ２、及びｓ３は、それぞれ、１個のタイムスロット内の異なる時間領域シンボルを表す。ＳＢ０及びＳＢ１は、異なるサブバンド又は周波数領域単位を表す。
【０１９６】
切替回数を減らすために、ＳＲＳリソースのパラメータ構成に２レベルパラメータ構成を新たに導入してもよい。第１レベルパラメータ構成は、ＳＲＳが同じ周波数領域単位で連続的に送信する時間領域シンボルの数Ｎ１である。ＳＲＳリソース構成のＮ個のシンボル（一周期の伝送、すなわち１個のタイムスロット内で定義される。）のうち、ＳＲＳが同じ周波数領域単位で連続して送信するシンボル数は、ＳＲＳがどのアンテナポートを伝送に使用してもＮ１の値となる。図８ａに示す例では、１個のサブバンド上で、ＳＲＳによって一度に１個の時間領域シンボルのみが連続して送信されるため、Ｎ１＝１となる。図８ｂ及び図８ｃに示す例では、１個のサブバンド上で、ＳＲＳによって一度に２個の時間領域シンボルが連続して送信されるため、Ｎ１＝２となる。なお、Ｎ１は、アンテナポートを区別することなく、１個の周波数領域単位においてＳＲＳによって連続的に送信される時間領域シンボルの数である。
【０１９７】
第２レベル構成パラメータは、幾つかのポートによって連続的かつ繰り返し送信されるＳＲＳの時間領域シンボルの数であり、Ｎ２は、Ｎ未満である。Ｎ２は、ある周波数領域単位で１個のアンテナポートグループによって連続的かつ繰り返し送信される時間領域シンボルの数を表す。１個のアンテナポートグループ内の全てのアンテナポートは、同じ時間領域シンボルリソースを占有し、同じ周波数領域ユニット又は同じサブバンド上に位置してもよいが、シーケンス又は櫛は、異なっていてもよい。図８ｂに示す例では、各アンテナは、アンテナポートグループである。各アンテナは、１個のサブバンド上で２回連続して送信を行うため、Ｎ１＝２及びＮ２＝２となる。図８ｃに示す例では、１個のサブバンド上で各アンテナが連続して送信を行う回数は、１であるため、Ｎ１＝２、Ｎ２＝１となる。
【０１９８】
従って、ＳＲＳリソース構成パラメータにおいては、Ｎ１及びＮ２の２個のパラメータを付加することにより、任意のＳＲＳ送信構成を実現できる。したがって、柔軟性が最大化される。
【０１９９】
１個の周波数領域単位内のＮ１個の連続シンボル上では、Ｎ２個の時間領域シンボルが１個のアンテナグループによって連続的に送信され、異なるアンテナグループによって同時に送信されることはない。このとき、１以上のアンテナグループがＮ１個の時間領域シンボル上で連続的に送信を行う。図８ｃに示す例では、１個のアンテナポートが、１組のアンテナポートグループに対応する。このとき、Ｎ１＝２、Ｎ２＝１、すなわち、サブバンド毎に、各アンテナポートグループが１回送信を行い、Ｎ１個の時間領域シンボルに対して時分割多重を行う。
【０２００】
周波数ホッピングがオンの場合、ＳＲＳは、１個のサブバンド上でＮ１シンボルを連続的に送信した後、送信のために別のサブバンドにホッピングする必要がある。Ｎ１がＮ未満である場合、ＳＲＳは、１個の時間領域単位において、まず、１個の周波数領域単位においてＮ１個の時間領域シンボルを繰り返し送信し、次に、ホッピングされた別の周波数領域単位において、Ｎ１個の時間領域シンボルを繰り返し送信する。Ｎ２がＮ１未満である場合、周波数領域単位のＮ１個のシンボル上では、ＳＲＳの一方のポートグループは、Ｎ２回連続して送信を行い、他方のアンテナポートグループは、Ｎ１個のシンボルが全て占有されるまで、Ｎ２回送信を行う。
【０２０１】
なお、Ｎ個の時間領域シンボルは、必ずしも隣接していない。アンテナポートグループは、同時に送信可能なアンテナポートグループとみなすことができる。例えば、ＳＲＳが４個のアンテナで構成され、ポート０及びポート１がグループであり、ポート２及びポート３がグループであり、ユーザが一度に送信できるアンテナポートグループが１個のみの場合、４個のポートで送信を行うために２回の送信が必要である。ポートグループは、基地局によって構成してもよい。
【０２０２】
Ｘ、Ｎ、Ｎ１、Ｎ２の構成と、アンテナポートグループの構成とに基づいて、任意の柔軟なＳＲＳ伝送を実現できる。他の例を図８ｄ、図８ｅ、及び図８ｆに示す。例えば、図８ｆに示す例では、Ｎ２＝４であるため、ポートグループ１（ポート０及びポート１を含む）は、ポートグループ２が送信を行う前に４個のシンボルを送信する。Ｎ１＝２であるため、ＳＲＳは、サブバンド０上で２個の時間領域シンボルを伝送した後、サブバンド１上で伝送を行う。
【０２０３】
オプションとして、Ｎ１及びＮ２のパラメータ構成は、他のパラメータによって暗黙的に置き換えてもよい。例えば、Ｎ１＝Ｎ／Ｇ１、Ｎ２＝Ｎ／Ｇ２となるように、新しいパラメータＧ１及びＧ２を導入してもよい。あるいは、Ｎ２＝Ｎ１／Ｇ２としてもよい。あるいは、規格を単純化するために、Ｎ２をある数に固定し、構成を不要としてもよく、例えばＮ２＝１としてもよい。
【０２０４】
Ｎ１、Ｎ２のパラメータ設定に基づき、ＬＴＥ３６．２１１における周波数ホッピングの定義を用いることができ、単にＬＴＥの式を修正するのみでよく、すなわち、
【数４３】
0006971334.tif 000060
とし、ここで、Ｆは、ＳＲＳの初期送信から現在の時刻までに送信されたタイムスロットの総数を表す。例えば、
【数４４】
0006971334.tif 000061
とする。特定のサブキャリア間隔について、ｎｆは、フレーム番号であり、ｎｓｆは、１フレーム内のサブフレーム番号であり、Ｎｓｕｂｆｒａｍｅｓｌｏｔは、１サブフレーム内に含まれるタイムスロットの数であり、ｎｓは、１サブフレーム内のタイムスロット番号である。この修正後は、１個のＳＲＳ送信にＮ１個のシンボルが含まれ、１個のタイムスロットにＮ／Ｎ１個のＳＲＳ伝送が含まれる（Ｎ個のシンボルがＳＮＳのために構成される）。このように、ｎｓｒｓは、Ｆ個のタイムスロットにおけるＳＲＳ伝送の数である。
【０２０５】
同様に、Ｎ１、Ｎ２のパラメータ設定に基づき、ＬＴＥ３６．２１３におけるアンテナ切替の式を使用でき、これを単純に修正すればよい。送信アンテナが２個のＳＲＳにおいて、一度に１個のアンテナポートしか送信を行えない場合、新しいアンテナのインデクス式は、次のように変更できる。
【０２０６】
ａ（ｎＳＲＳ，ｋ）＝（ａＬＴＥ（ｎＳＲＳ）＋ｋ）  ｍｏｄ  ２
ここで、ｋ＝０，…Ｎ１／Ｎ２−１である。
【０２０７】
ａＬＴＥ（ｎＳＲＳ）の式は、ＬＴＥにおけるａ（ｎＳＲＳ）の式である。ａ（ｎＳＲＳ，ｋ）は、ａ（ｎＳＲＳ）の伝送中のＮ１個のシンボルのうち第ｋのグループで伝送を行ったアンテナのインデクスを表す。なお、Ｎ１個の時間領域シンボルが１個のＳＲＳ送信に含まれ、Ｎ１個の時間領域シンボルがＧ２＝Ｎ／Ｎ２個のグループに分割され、各グループが１個のアンテナポートで送信を行うので、ｋ＝０，…Ｇ２−１であるということを強調しておく。ＵＥが一度に２個のアンテナポートで送信を行うことができ、合計４個のアンテナポートが存在する場合、伝送の１個のグループは、２個のアンテナポートに対応する。例えば、４個のアンテナポートを２個のグループに分割し、ポートグループ０がポート０とポート１を含み、ポートグループ１がポート２とポート３を含むとすると、ｋ＝０の場合、ａ（ｎＳＲＳ，ｋ）＝０は、第ｋのグループで送信を行ったアンテナポートグループ０を表し、ａ（ｎＳＲＳ，ｋ）＝１は、第ｋのグループで送信を行ったアンテナポートグループ１を表す。
【０２０８】
２レベルパラメータ構成は、更に、第１レベルパラメータが、ＳＲＳのアンテナ切替スイッチ機能Ａ１、すなわちタイムスロット間の切替スイッチを表すことを含むことができる。Ａ１がオンの場合、アンテナグループ切替は、タイムスロット間でのみ実行され、タイムスロット内では実行されず、このとき、１個のアンテナグループのＳＲＳのみが１個のタイムスロットで送信される。Ａ１がオフの場合、タイムスロット間でアンテナグループ切替は実行されない。第２レベルパラメータは、時間領域単位でのＳＲＳのアンテナ切替スイッチ機能Ａ２、すなわち、時間スロット内でのアンテナポートグループ切替を表す。Ａ２がオンの場合、１個のタイムスロット内の異なるアンテナポートグループが交互に伝送を行ってもよい。図８ｇに示す例では、Ａ１及びＡ２が共にオンであり、２個のアンテナポートグループがタイムスロット内及びタイムスロット間で切り替えられる。図８ｈに示す例では、Ａ１がオン、Ａ２がオフであり、アンテナポートグループは、タイムスロット内では、切り替えられない。これにより、ＵＥの複雑性を低減できる。
【０２０９】
２レベルパラメータ構成は、更に、第１レベルパラメータが、ＳＲＳの周波数ホッピングスイッチ機能Ｂ１、すなわちタイムスロット間の周波数ホッピングを表すことを含むことができる。第２レベルパラメータは、タイムスロット内のＳＲＳの周波数ホッピングスイッチ機能Ｂ２を表す。Ｂ１及びＢ２の両方がオンの場合、ＳＲＳは、図８ｉに示すように、タイムスロット内及びタイムスロット間の両方で周波数ホッピングを実行する。Ｂ１がオンでＢ２がオフの場合、ＳＲＳは、図８ｊに示すように、タイムスロット間の周波数ホッピングのみを実行する。これにより、ＵＥの複雑性を低減できる。
【０２１０】
上述の方法では、１個のタイムスロットにおいて、１個のアンテナポートリソースがＮ個のシンボルで構成され、異なるアンテナが異なるシンボルを送信してもよい。アンテナ切替をより容易にするために、以下のような構成を実施してもよい。すなわち、１個のＳＲＳリソース集合を構成し、複数のＳＲＳリソースを集合に含ませ、各リソースを１個のＳＲＳアンテナポート又はアンテナポートグループに対応させることにより、同様の効果を得ることができる。このとき、ＳＲＳリソースでは、アンテナ切替が許可されず、１個のリソース内の全てのアンテナポートが同時に送信を行う。例えば、Ｘ個リソースがＳＲＳリソース集合内に構成され、リソース０は、アンテナポート又はアンテナポートグループ０を表し、リソース１は、アンテナポート又はアンテナポートグループ１を表し、リソースＸ−１は、アンテナポート又はアンテナポートグループＸ−１を表す。リソースがＩＤを有する場合、そのＩＤは、ＳＲＳアンテナポートグループに対応させることができる。各リソースがＸ１個アンテナポートを含む場合、アンテナポートの総数は、Ｘ＊Ｘ１である。各リソースに対応するＸ１個アンテナポートは、１つのアンテナポートグループであり、グループ内の各アンテナは、同じ時間領域シンボル上で送信を行う。
【０２１１】
ＳＲＳリソース集合においては、全てのＳＲＳリソースに設定されているパラメータの一部（例えばＳＲＳ伝送を示すビームＩＤ（すでに送信済みのＳＲＳリソースのＩＤに対応）、リソースに含まれる時間領域シンボルの数、周期、ＳＲＳ伝送帯域幅（ＬＴＥのＣＳＲＳと同様）、ＢＳＲＳ、ｂｈｏｐ、電力制御等のパラメータ）は同じである。
【０２１２】
［例８］
【０２１３】
この例では、第１の通信ノードは、シグナリングによって、第２の通信ノードが参照信号を送信するためのリソース又はパラメータを指示する。あるいは、第１の通信ノード及び第２の通信ノードの両方が、第２の通信ノードが参照信号を送信するためのリソース又はパラメータを事前に定義する。
【０２１４】
リソース又はパラメータは、リソースが繰り返されているか又は同じであるかを示すパラメータ、又はアンテナポート番号若しくはインデクスのうちの少なくとも１つを含む。
【０２１５】
例えば、アンテナポート番号又はインデクスは、Ｍ個の連続する時間領域シンボル上で変化せず、ここで、Ｍは、０より大きい整数である。
【０２１６】
例えば、複数のリソースの構成値又はパラメータ値は、Ｌ個の連続する時間領域シンボル上で同じであり、又は複数のリソースの構成値又はパラメータ値は、Ｌ個の連続する時間領域シンボル上で異なり、ここでＬは、０より大きい整数である。
【０２１７】
例えば、複数のリソースは、リソース集合又はリソースグループを構成し、リソース集合又はリソースグループのパラメータは、リソース集合又はリソースグループ内の複数のリソースが同じであるか又は繰り返されているかを示すように構成される。
【０２１８】
例えば、第１の通信ノードは、第２の通信ノードのためのリソース集合又はリソースグループを構成する。リソース集合又はリソースグループは、１以上のリソースを含み、同時に、リソースが繰り返されているか又は同じであるかを示すパラメータを含む。このパラメータをＳＲＳ＿Ｒｅｓｏｕｒｃｅ＿Ｒｅｐｅｔｉｔｉｏｎとする。パラメータＳＲＳ＿Ｒｅｓｏｕｒｃｅ＿Ｒｅｐｅｔｉｔｉｏｎの値が１の場合又は状態がオンの場合、ＳＲＳリソース集合又はリソースグループ内の複数のＳＲＳリソースが同じであるか又は繰り返されていることが示され、パラメータＳＲＳ＿Ｒｅｓｏｕｒｃｅ＿Ｒｅｐｅｔｉｔｉｏｎの値が０の場合又は状態がオフの場合、ＳＲＳリソース集合又はリソースグループ内のＳＲＳリソースが同じであるか又は繰り返されていることは示されない。ＳＲＳリソース集合又はリソースグループ内の複数のＳＲＳリソースが同じ又は繰り返されている場合、複数のＳＲＳリソースの全てのパラメータ構成値が同じであることが示され、又は複数のＳＲＳリソース内の送信ビーム若しくはアンテナポート又は周波数領域リソースを表すために使用されるパラメータ値が同じであることが示され、又は複数のＳＲＳリソースが同じ送信ビーム若しくはアンテナポート又は周波数領域リソースを使用することが示される。
【０２１９】
例えば、リソース集合又はリソースグループは、ＳＲＳリソース１及びＳＲＳリソース２としてマークされた２個のＳＲＳリソースを含む。ＳＲＳリソースが同じであると示されている場合、ＳＲＳリソース１とＳＲＳリソース２のパラメータ設定値は全て同じであり、又はＳＲＳリソース１とＳＲＳリソース２が同じ送信ビーム、アンテナポート若しくは周波数領域リソースを使用する。ＳＲＳリソースが異なると示されている場合、ＳＲＳリソース１とＳＲＳリソース２のパラメータ設定値が全て異なり、又はＳＲＳリソース１とＳＲＳリソース２が異なる送信ビーム、アンテナポート、若しくは周波数領域リソースを使用する。
【０２２０】
図９は、本出願の一実施形態に基づく情報伝送装置の概略図である。図９に示すように、本実施形態は、第１の通信ノードに適用される情報伝送装置であって、第１の処理モジュール９０１及び第１の送信モジュール９０２を含む。
【０２２１】
第１の処理モジュール９０１は、第２の通信ノードが参照信号を送信するためのリソース又はパラメータを決定するように構成されている。
【０２２２】
第１の送信モジュール９０２は、リソース又はパラメータをシグナリングによって第２の通信ノードに示すように構成されている。
【０２２３】
リソース又はパラメータは、周波数領域開始位置、周波数領域終了位置、伝送帯域幅、セグメント数、帯域幅構成インデクス、帯域幅パラメータ、リソースが繰り返されているか又は同じであるかを指示するパラメータ、アンテナポート番号又はインデクス、マルチレベル帯域幅構造における参照信号の最大帯域幅の周波数領域開始位置の算出法、マルチレベル帯域幅構造における参照信号の最大帯域幅の周波数領域開始位置の取得に関するパラメータ、又は参照信号を含むマルチレベル帯域幅構造の情報のうちの１以上を含む。
【０２２４】
なお、本実施形態に基づく装置については、図１に対応する実施形態を参照して説明できるため、さらなる詳細な説明は、省略する。
【０２２５】
図１０は、本出願の一実施形態に基づく情報伝送装置の概略図である。図１０に示すように、本実施形態は、第２の通信ノードに適用され、第１の受信モジュール１００１と、第２の処理モジュール１００２と、第２の送信モジュール１００３とを含む情報伝送装置を提供する。
【０２２６】
第１の受信モジュール１００１は、第１の通信ノードによって送信されたシグナリングを受信するように構成されている。
【０２２７】
第２の処理モジュール１００２は、シグナリングに基づいて、又はシグナリングと、第１の通信ノード及び第２の処理モジュールによって事前に定義されている規則とに基づいて、参照信号を送信するためのリソース又はパラメータを決定するように構成されている。
【０２２８】
第２の送信モジュール１００３は、リソース又はパラメータを使用して参照信号を送信するように構成されている。
【０２２９】
リソース又はパラメータは、周波数領域開始位置、周波数領域終了位置、伝送帯域幅、セグメント数、帯域幅構成インデクス、帯域幅パラメータ、リソースが繰り返されているか又は同じであるかを指示するパラメータ、アンテナポート番号又はインデクス、マルチレベル帯域幅構造における参照信号の最大帯域幅の周波数領域開始位置の算出法、マルチレベル帯域幅構造における参照信号の最大帯域幅の周波数領域開始位置の取得に関するパラメータ、又は参照信号を含むマルチレベル帯域幅構造の情報のうちの１以上を含む。
【０２３０】
なお、本実施形態に基づく装置については、図２に対応する実施形態を参照して説明できるため、さらなる詳細な説明は、省略する。
【０２３１】
図１１は、本出願の一実施形態に基づく情報伝送装置の概略図である。図１１に示すように、本実施形態は、第１の通信ノードに適用され、第３の処理モジュール１１０１及び第２の受信モジュール１１０２を含む情報伝送装置を提供する。
【０２３２】
第３の処理モジュール１１０１は、参照信号リソースの第１レベルパラメータ及び第２レベルパラメータを決定するように構成されており、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含む。
【０２３３】
第２の受信モジュール１１０２は、第１レベルパラメータ及び第２レベルパラメータに基づく参照信号を受信するように構成されている。
【０２３４】
参照信号リソースにおいて構成される時間領域シンボルの数は、Ｎであり、Ｎ１は、Ｎ以下であり、Ｎ２は、Ｎ以下である。
【０２３５】
なお、本実施形態に基づく装置については、図３に対応する実施形態を参照して説明できるため、さらなる詳細な説明は、省略する。
【０２３６】
図１２は、本出願の一実施形態に基づく情報伝送装置の概略図である。図１２に示すように、本実施形態は、第２の通信ノードに適用され、第４の処理モジュール１２０１と第３の送信モジュール１２０２とを含む情報伝送装置を提供する。
【０２３７】
第４の処理モジュール１２０１は、参照信号リソースの第１レベルパラメータ及び第２レベルパラメータを決定するように構成されており、第１レベルパラメータは、同じ周波数領域単位の参照信号によって連続的に送信される時間領域シンボルの数Ｎ１、参照信号のアンテナ切替スイッチ機能Ａ１、又は周波数ホッピングスイッチ機能Ｂ１のうちの少なくとも１つを含み、第２レベルパラメータは、参照信号のアンテナポートグループによって連続的に送信される時間領域シンボルの数Ｎ２、時間領域単位における参照信号のアンテナ切替スイッチ機能Ａ２、又は時間領域単位における参照信号の周波数ホッピングスイッチ機能Ｂ２の少なくとも１つを含む。
【０２３８】
第３の送信モジュール１２０２は、第１レベルパラメータ及び第２レベルパラメータに基づいて参照信号を送信するように構成されている。
【０２３９】
参照信号リソースにおいて構成される時間領域シンボルの数は、Ｎであり、Ｎ１は、Ｎ以下であり、Ｎ２は、Ｎ以下である。
【０２４０】
なお、本実施形態に基づく装置については、図４に対応する実施形態を参照して説明できるため、さらなる詳細な説明は、省略する。
【０２４１】
図１３は、本出願の一実施形態に基づく通信ノードの概略図である。図１３に示すように、本実施形態は、第１のメモリ１３０１及び第１のプロセッサ１３０２を含む基地局等の通信ノード１３００を提供し、第１のメモリ１３０１は、第１のプロセッサ１３０２によって実行されると、図１に示す情報伝送方法のステップを実現する情報伝送プログラムを格納するように構成されている。
【０２４２】
なお、図１３に示す通信ノードの構造は、通信ノード１３００を限定するものではなく、通信ノード１３００の構成要素は、図示したものよりも多くても少なくてもよく、あるいは、ある構成要素を組み合わせてもよく、異なる構成要素を用いて構成してもよいことは、当業者にとって明らかである。
【０２４３】
第１のプロセッサ１３０２は、以下に限定されるものではないが、マイクロコントローラユニット（microcontroller unit：ＭＣＵ）、フィールドプログラマブルゲートアレイ（field programmable gate array：ＦＰＧＡ）、又は他の処理装置を含むことができる。第１のメモリ１３０１は、アプリケーションソフトウェアのソフトウェアプログラム及びモジュール、例えば、本実施形態における情報伝送方法に対応するプログラム命令又はモジュール等を格納するように構成してもよい。第１のプロセッサ１３０２は、第１のメモリ１３０１に格納されたソフトウェアプログラム及びモジュールを実行して各種の機能アプリケーション及びデータ処理を実行し、例えば、本実施形態で説明した情報伝送方法を実現する。第１のメモリ１３０１は、高速ランダムアクセスメモリを含むことができ、更に１以上の磁気記憶装置、フラッシュメモリ、又は他の不揮発性固体メモリ等の不揮発性メモリを更に含むことができる。幾つかの例では、第１のメモリ１３０１は、第１のプロセッサ１３０２に対して遠隔に配置されたメモリを含んでもよく、これらの遠隔メモリは、ネットワークを介して通信ノード１３００に接続してもよい。このようなネットワークの例には、インターネット、イントラネット、ローカルエリアネットワーク、移動通信ネットワーク、及びこれらの組み合わせが含まれるが、これらに限定されるわけではない。
【０２４４】
例えば、上述の通信ノード１３００は、第１の通信ユニット１３０３を更に含むことができ、第１の通信ユニット１３０３は、ネットワークを介してデータを送受信してもよい。一例では、第１の通信ユニット１３０３は、インターネットと無線で通信するように構成された無線周波数（radio frequency：ＲＦ）モジュールであってもよい。
【０２４５】
図１４は、本出願の一実施形態に基づく通信ノードの概略図である。図１４に示すように、本実施形態は、第２のメモリ１４０１及び第２のプロセッサ１４０２を含むＵＥ等の通信ノード１４００を提供し、第２のメモリ１４０１は、第２のプロセッサ１４０２によって実行されると、図２に示す情報伝送方法のステップを実現する情報伝送プログラムを格納するように構成されている。
【０２４６】
なお、図１４に示した通信ノード構造は、通信ノード１４００を限定するものではなく、通信ノード１４００の構成要素は、図示したものよりも多くても少なくてもよく、あるいは、ある構成要素を組み合わせてもよく、異なる構成要素を用いて構成してもよいことは、当業者にとって明らかである。
【０２４７】
例えば、上述の通信ノード１４００は、第２の通信ユニット１４０３を更に含むことができ、第２の通信ユニット１４０３は、ネットワークを介してデータを送受信してもよい。
【０２４８】
なお、本実施の形態における第２のメモリ、第２のプロセッサ、及び第２の通信ユニットについては、第１のメモリ、第１のプロセッサ、及び第１の通信ユニットの説明を参照できるため、ここでは、詳細を省略する。
【０２４９】
本出願の一実施形態は、更に、第３のメモリ及び第３のプロセッサとを備える通信ノードを提供し、第３のメモリは、第３のプロセッサによって実行されると、図３に示す情報伝送方法のステップを実現する情報伝送プログラムを格納するように構成されている。
【０２５０】
本出願の一実施形態は、更に、第４のメモリ及び第４のプロセッサとを備える通信ノードを提供し、第４のメモリは、第４のプロセッサによって実行されると、図４に示す情報伝送方法のステップを実現する情報伝送プログラムを格納するように構成されている。
【０２５１】
なお、本実施の形態における第３のメモリ、第３のプロセッサ、第４のメモリ、及び第４のプロセッサについては、第１のメモリ及び第１のプロセッサの説明を参照できるため、ここでは、詳細を省略する。
【０２５２】
更に、本出願の一実施形態は、プロセッサによって実行されると、図１、図２、図３、又は図４に示す情報伝送方法のステップを実現する情報伝送プログラムを格納するように構成されたコンピュータ可読媒体を提供する。
【０２５３】
なお、上述の方法のステップ、システム、及び装置の全部又は一部における機能モジュール又はユニットは、ソフトウェア、ファームウェア、ハードウェア、及びこれらの適切な組み合わせとして実施できることを当業者にとって明らかである。ハードウェア実装においては、上述の機能モジュール又はユニットの区分は、物理コンポーネントの区分に対応しない場合もある。例えば、１個の物理的構成要素が複数の機能を有してもよく、複数の物理的構成要素が協同して１個の機能又はステップを実行してもよい。一部又は全ての構成要素は、デジタルシグナルプロセッサ又はマイクロコントローラ等のプロセッサ、ハードウェア、又は特定用途向け集積回路等の集積回路によって実行されるソフトウェアとして実装してもよい。このようなソフトウェアは、コンピュータ記憶媒体（又は非一時的媒体）及び通信媒体（又は一時的媒体）を含むコンピュータ可読媒体上に分散的に格納してもよい。当業者に知られているように、コンピュータ記憶媒体という用語は、情報（コンピュータ可読命令、データ構造、プログラムモジュール又は他のデータ等）を記憶するための任意の方法又は技術で実施される揮発性及び不揮発性、取り外し可能及び取り外し不能な媒体を含む。コンピュータ記憶媒体は、以下に限定されるものではないが、ランダムアクセスメモリ（random access memory：ＲＡＭ）、読出専用メモリ（read-only memory：ＲＯＭ）、電気的消去可能プログラマブル読出専用メモリ（electrically erasable programmable read-only memory：ＥＥＰＲＯＭ）、フラッシュメモリ又は他のメモリ技術、コンパクトディスク読出専用メモリ（compact disc read-only memory：ＣＤ−ＲＯＭ）、デジタル多用途ディスク（digital versatile disc：ＤＶＤ）、又は他の光ディスク記憶装置、磁気カセット、磁気テープ、磁気ディスク記憶装置又は他の磁気記憶デバイス、又は所望の情報を記憶するように構成され、コンピュータによってアクセス可能な他の任意の媒体を含む。更に、当業者に知られているように、通信媒体は、通常、コンピュータ可読命令、データ構造、プログラムモジュール、又は搬送波又は他の伝送メカニズム等の変調されたデータ信号内の他のデータを含み、任意の情報配信媒体を含むことができる。
【０２５４】
本願が開示する実施形態は、上述の通りであるが、この内容は、本願の理解を容易にするための実施形態に過ぎず、本願を限定するものではない。本出願に関連する技術の当業者は、本出願が開示する思想及び範囲から逸脱することなく、具体例の形式及び詳細を修正及び変更できるが、本出願の特許保護範囲は、添付の特許請求の範囲により定義される。
【図１】
0006971334.tif 000066
【図２】
0006971334.tif 000067
【図３】
0006971334.tif 000068
【図４】
0006971334.tif 000069
【図５】
0006971334.tif 000070
【図６】
0006971334.tif 000071
【図７ａ】
0006971334.tif 000072
【図７ｂ】
0006971334.tif 000073
【図７ｃ】
0006971334.tif 000074
【図７ｄ】
0006971334.tif 000075
【図７ｅ】
0006971334.tif 000076
【図７ｆ】
0006971334.tif 000077
【図８ａ】
0006971334.tif 000078
【図８ｂ】
0006971334.tif 000079
【図８ｃ】
0006971334.tif 000080
【図８ｄ】
0006971334.tif 000081
【図８ｅ】
0006971334.tif 000082
【図８ｆ】
0006971334.tif 000083
【図８ｇ】
0006971334.tif 000084
【図８ｈ】
0006971334.tif 000085
【図８ｉ】
0006971334.tif 000086
【図８ｊ】
0006971334.tif 000087
【図９】
0006971334.tif 000088
【図１０】
0006971334.tif 000089
【図１１】
0006971334.tif 000090
【図１２】
0006971334.tif 000091
【図１３】
0006971334.tif 000092
【図１４】
0006971334.tif 000093